(57)【要約】      （修正有）【課題】ダークマターはどのようにして活性化されるか。原始星の中心にあるブラックホールはどのようにできるのか。ボイドにはどれ位の電子と陽子があったのか。【解決手段】−２７３℃の電子のラブの自転軌道は、６．９０６×１０−１７ｍです。これに、ブラックホールでできた１．４３４×１０−１６ｍの電気の光子と磁気の光子が付加して、ダークマターを活性化し、集合した。原始星の中央にある“ブラックホールの素子”である電子のラブと陽子のラブの公転軌道は、約１０−１６ｍです。これを活性化し、集合させたのは、電気の光子と磁気の光子です。この電気の光子と磁気の光子は、１０−１６ｍより高エネルギーの場でできた。これは、熱平衡状態の場である、４×１０−１７ｍの場でできた。この集団の質量とジェット噴射の届く距離からボイドにあった電子と陽子の質量が解る。【選択図】図１
2008086188.tif 000002
【特許請求の範囲】
【請求項１】
ダークマターを活性化するとはどのようなことか。
ダークマターは、自転する電子のラブと自転する陽子のラブです。
ダークマターを活性化するとは、自転する電子のラブと自転する陽子のラブを公転させることです。
【請求項２】
どのようにしたら、自転する電子のラブと自転する陽子のラブを公転させることができるか。
自転する電子のラブに光子を付加させ、エネルギーを上げる事によって、電子のラブは公転する。
自転する陽子のラブに光子を付加させ、エネルギーを上げる事によって、陽子のラブは公転する。
【請求項３】
どれだけの光子を与えたら、自転する電子のラブと自転する陽子のラブを公転させることができるか。
暗黒星雲は−２６０℃です。暗黒星雲は水素です。それで、−２６０℃で、電子のラブと陽子のラブは公転します。
−２７３℃で、電子のラブと陽子のラブは自転していますから、温度を、１３Ｋ上げたら公転する。
これは何Ｊか。
１Ｋは１．３８×１０−２３Ｊですから、
１３×１．３８×１０−２３Ｊ＝１．７９４×１０−２２Ｊです。
これは、電気の光子が何個でできるエネルギーか。
１公転でできる電気の光子のエネルギーは、１．２３３×１０−４１Ｊｍ÷光子の公転軌道  です。
これを１個の電気の光子とします。ｘ個の電気の光子でできるとします。
１．７９４×１０−２２Ｊ＝ｘ×１．２３３×１０−４１Ｊｍ÷電気の光子の公転軌道
ｘ＝１．７９４×１０−２２Ｊ÷（１．２３３×１０−４１Ｊｍ）×電気の光子の公転軌道＝１．４５５×１０１９／ｍ×電気の光子の公転軌道
もし、電気の光子の公転軌道が、１÷（１．４５５×１０１９）／ｍ＝６．８７３×１０−２０ｍであるならば、電気の光子１個で、１３Ｋになり、電子のラブと陽子のラブを公転させることができる。
・ブラックホールでは、電子のラブの公転軌道は、１．４３４×１０−１６ｍですから、これでできる電気の光子の軌道も１．４３４×１０−１６ｍです。
この電気の光子１個のエネルギーは、
１．２３３×１０−４１Ｊｍ÷電気の光子の公転軌道＝１．２３３×１０−４１Ｊｍ÷（１．４３４×１０−１６ｍ）＝８．５９８×１０−２６Ｊです。
１．７９４×１０−２２Ｊ÷（８．５９８×１０−２６Ｊ）＝２．０８７×１０３
１３Ｋは、電気の光子が２．０８７×１０３公転でできます。
電子のラブは、１秒間に（７．９６×１０７）２回公転しますから、これは、
２．０８７×１０３÷（７．９６×１０７）２＝３．２９４×１０−１３秒でできる電気の光子です。
・中性子星では、電子のラブの公転軌道は、５．３７６×１０−１６ｍですから、これでできる電気の光子の軌道も５．３７６×１０−１６ｍです。
この電気の光子１個のエネルギーは、
１．２３３×１０−４１Ｊｍ÷電気の光子の公転軌道＝１．２３３×１０−４１Ｊｍ÷（５．３７６×１０−１６ｍ）＝２．２９４×１０−２６Ｊです。
１．７９４×１０−２２Ｊ÷（２．２９４×１０−２６Ｊ）＝７．８２０×１０３
１３Ｋは、電気の光子が７．８２０×１０３公転でできます。
【請求項４】
ダークマターを活性化させる（公転させる）メカニズムについて。図１
地上の電子のラブの自転軌道は、４．１７５×１０−１８ｍです。地上の陽子のラブの自転軌道は、４．１８×１０−１８ｍです。ほぼ同じです。
それで、−２７３℃の電子のラブの自転軌道と、−２７３℃の陽子のラブの自転軌道は、
４．１８×１０−１８ｍ×２７３１／２＝４．１８×１０−１８ｍ×１６．５２７＝６．９０６×１０−１７ｍです。
６．９０６×１０−１７ｍの軌道で自転する電子のラブと自転する陽子のラブ（ダークマター）に、電気の光子を付加する事により、電子のラブのエネルギーと、陽子のラブのエネルギーが−２６０１／２℃になる。
例えば、ブラックホールの中の電子のラブの公転軌道は１．４３４×１０−１６ｍですから、電子のラブが作る電気の光子の軌道は、１．４３４×１０−１６ｍです。
これが、ダークマターの自転軌道６．９０６×１０−１７ｍに、付加する。２．０８７×１０３個付加する。
そうすると、自転する電子のラブのエネルギーが上がり、−２６０℃になる。
電子のラブ（ダークマター）の自転軌道は、
４．１７５×１０−１８ｍ×２６０１／２＝４．１７５×１０−１８ｍ×１６．１２４５＝６．７４０×１０−１７ｍになり、収縮し、電子のラブのエネルギーは大きくなる。
電子のラブのエネルギーは、
８．１８７×１０−１４Ｊ÷２６０１／２＝８．１８７×１０−１４Ｊ÷１６．１２４５＝５．０７７×１０−１５Ｊに成ります。
即ち、ダークマターである自転する電子のラブは、電気の光子のエネルギーを受け（付加し）、自分のエネルギーを−２６０℃にし、エネルギーを大きくし、公転できるようになる。
ダークマターである自転する電子のラブのエネルギーは、
８．１８７×１０−１４÷２７３１／２＝８．１８７×１０−１４÷１６．５２２７＝４．９５５×１０−１５Ｊです。
電気の光子のエネルギーを得る事によって、自分のエネルギーを−２６０℃にした。
電子のラブのエネルギーは、５．０７７×１０−１５Ｊになった。
電子のラブのエネルギーが５．０７７×１０−１５Ｊになる事によって、初めて、電子のラブは公転できるようになった。
電子のラブが公転できるためには、５．０７７×１０−１５Ｊ以上のエネルギーでなければできません。
陽子のラブの場合。
陽子のラブは、ダークマターであるとき、−２７３１／２℃のエネルギーであった。
１．５×１０−１０÷２７３１／２＝１．５×１０−１０÷１６．５２２７＝９．０７８４×１０−１２Ｊでした。
これに、ブラックホールでできた電気の光子が付加した。
１．４３４×１０−１６ｍの軌道で、８．５９８×１０−２６Ｊの電気の光子が２．０８７×１０３個付加した。
それで、陽子のラブの温度は−２６０１／２になった。
陽子のラブの軌道は、
４．１８×１０−１８ｍ×２６０１／２＝４．１８×１０−１８×１６．１２４５７＝６．７４０×１０−１７ｍになった。
陽子のラブのエネルギーは、
１．５×１０−１０÷２６０１／２＝１．５×１０−１０÷１６．１２４５７＝９．３０３×１０−１２Ｊになった。
陽子のラブはエネルギーが９．３０３×１０−１２Ｊになって、初めて公転ができます。
陽子のラブが公転するためには、９．３０３×１０−１２Ｊ以上のエネルギーでなければできません。
まとめて表に示す。
2008086188.tif 000010
【請求項５】
−２７３℃とはどのような温度か。
−２７３℃とは、電子のラブと陽子のラブが自転する温度です。
電子のラブは自分のエネルギーが４．９５５×１０−１５Ｊに成ったとき、エネルギーが小さいので、自転よりできなくなる。
電子のラブは自分の温度が−２７３℃に成ったとき、エネルギーが小さいので、自転よりできなくなる。
陽子のラブは自分のエネルギーが９．０７８×１０−１２Ｊに成ったとき、エネルギーが小さいので、自転よりできなくなる。
陽子のラブは自分の温度が−２７３℃に成ったとき、エネルギーが小さいので、自転よりできなくなる。
【請求項６】
電子のラブの最低エネルギーはいくらか。陽子のラブの最低エネルギーはいくらか。
そのエネルギーで電子のラブと陽子のラブは何ができるか。
電子のラブの最低のエネルギーは、４．９５５×１０−１５Ｊです。陽子のラブの最低のエネルギーは、９．０７８×１０−１２Ｊです。
この最低のエネルギーで、電子のラブと陽子のラブは自転ができます。
【請求項７】
電子のラブと陽子のラブが自転せず、質量だけに成った状態について。ダークマターのもう１つの見解。
私は、−２７３℃は、電子のラブと陽子のラブは自転だけしている状態であると考えました。
しかし、電子のラブと陽子のラブが自転せず、質量だけに成った状態とはどのような状態でしょうか。
この場合、質量はありますので、無ではありません。
電子のラブは、４．９５５×１０−１５Ｊ以下のエネルギーで、質量は９．１０９５×１０−３１Ｋｇです。
陽子のラブは、９．０７８×１０−１２Ｊ以下のエネルギーで、質量は１．６７２６５×１０−２７Ｋｇです。
でも、−２７３℃以下の温度は存在しませんので、
電子のラブのエネルギーは、４．９５５×１０−１５Ｊです。その質量は９．１０９５×１０−３１Ｋｇです。
陽子のラブのエネルギーは、９．０７８×１０−１２Ｊです。その質量は１．６７２６５×１０−２７Ｋｇです。
よって、電子のラブと陽子のラブが自転せず、質量だけに成った状態は、
電子のラブのエネルギーは、４．９５５×１０−１５Ｊです。その質量は９．１０９５×１０−３１Ｋｇです。
陽子のラブのエネルギーは、９．０７８×１０−１２Ｊです。その質量は１．６７２６５×１０−２７Ｋｇです。
これを、ダークマターとみなす事もできます。
【請求項８】
ブラックホールの電子のラブと陽子のラブは自転し公転している。
私は、ブラックホールの場では、電子のラブと陽子のラブは、公転せず自転だけすると考えてきました。ところが、今回、ダークマターの活性化を考えますと、ブラックホールの電子のラブは公転していて、公転してできる電気の光子が、ダークマターである自転する電子のラブに付加することを理解しました。この理解により、ブラックホールの電子のラブは公転する事を知りました。
ブラックホールの電子のラブと陽子のラブは自転し公転する。
【請求項９】
“ブラックホールの素子”は、１０−１６ｍの場で、自転し公転する電子のラブと陽子のラブです。
２００７年５月１０日に提出した特願２００７−１５０９５９の「請求項９」で、“ブラックホールの素子”について記した。それを次のように訂正する。
１０−１６ｍの場は、ブラックホールの場です。いわば、ブラックホールになる素子がたくさん存在する場です。１０−１６ｍの場に存在する自転し公転する電子のラブと陽子のラブを“ブラックホールの素子”と名づける。
“ブラックホールの素子”は、１０−１６ｍの場に、自転し公転する電子のラブと陽子のラブです。１０−１６ｍの場で、電子のラブと陽子のラブは、１０−２４ｍの軌道で自転し、１０−１６ｍの軌道で公転します。
【請求項１０】
−２６０℃とはどのような温度か。
電子のラブは自分の温度が−２６０℃で、エネルギーが５．０７７×１０−１５Ｊのとき公転ができるようになる。
電子のラブが公転するために必要な最低の自分の温度は−２６０で、エネルギーは５．０７７×１０−１５Ｊです。
陽子のラブは自分の温度が−２６０℃で、エネルギーが９．３０３×１０−１２Ｊのとき公転ができるようになる。
陽子のラブが公転するために必要な最低の自分の温度は−２６０で、エネルギーは９．３０３×１０−１２Ｊです。
【請求項１１】
ダークマターである自転する電子のラブと陽子のラブが電気の光子を付加し、エネルギーを大きくする事はどのような事か。
ダークマターである自転する電子のラブと陽子のラブが電気の光子を付加し、エネルギーを大きくする。
この事は、
電子のラブのエネルギー＝ダークマターである自転する電子のラブのエネルギー＋付加する光子のエネルギー  です。
【請求項１２】
付加する温度（光子）のエネルギーと電子のラブのエネルギーの関係式。
▲１▼付加する温度（光子）のエネルギーが０℃以上の場合。
電子のラブのエネルギー＝８．１８７×１０−１４Ｊ×温度１／２
付加する温度のエネルギー＝（２７３＋温度）×１．３８×１０−２３Ｊ＝３．７６７×１０−２１Ｊ＋温度×１．３８×１０−２３Ｊ
温度＝｛電子のラブのエネルギー÷（８．１８７×１０−１４Ｊ）｝２
付加する温度のエネルギー＝３．７６７×１０−２１Ｊ＋｛電子のラブのエネルギー÷（８．１８７×１０−１４Ｊ）｝２×１．３８×１０−２３Ｊ＝３．７６７×１０−２１Ｊ＋電子のラブのエネルギー２×２．０５９×１０３
電子のラブのエネルギー２＝（付加する温度のエネルギー−３．７６７×１０−２１Ｊ）÷（２．０５９×１０３）
・例えば、付加する温度が１００℃の場合。
付加する温度のエネルギー＝（２７３＋１００）×１．３８×１０−２３Ｊ＝５．１４７×１０−２１Ｊ
電子のラブのエネルギー２＝（５．１４７×１０−２１Ｊ−３．７６７×１０−２１Ｊ）÷（２．０５９×１０３）＝６．７０２×１０−２５Ｊ
電子のラブのエネルギー＝（６７．０２×１０−２６）１／２＝８．１８７×１０−１３Ｊ
▲２▼付加する温度（光子）のエネルギーが０℃以下の場合。
温度は−の絶対値とする。
電子のラブのエネルギー＝８．１８７×１０−１４Ｊ÷温度１／２
付加する温度のエネルギー＝（２７３−温度）×１．３８×１０−２３Ｊ＝３．７６７×１０−２１Ｊ−温度×１．３８×１０−２３Ｊ
温度＝（８．１８７×１０−１４Ｊ÷電子のラブのエネルギー）２＝６７．０２７×１０−２８Ｊ÷電子のラブのエネルギー２
付加する温度のエネルギー−３．７６７×１０−２１Ｊ−６７．０２７×１０−２８Ｊ÷電子のラブのエネルギー２×１．３８×１０−２３Ｊ＝３．７６７×１０−２１Ｊ−９．２５０×１０−５０Ｊ÷電子のラブのエネルギー２
電子のラブのエネルギー２＝９．２５０×１０−５０Ｊ÷（３．７６７×１０−２１Ｊ−付加する温度のエネルギー）
・例えば、−２６０℃で、付加する温度が１３Ｋの場合。
付加する温度のエネルギー＝（２７３−２６０）×１．３８×１０−２３Ｊ＝３．７６７×１０−２１Ｊ−２６０×１．３８×１０−２３Ｊ＝１．７９４×１０−２２Ｊ
１．７９４×１０−２２Ｊ＝３．７６７×１０−２１Ｊ−９．２５０×１０−５０Ｊ÷電子のラブのエネルギー２
９．２５０×１０−５０Ｊ÷電子のラブのエネルギー２＝３．７６７×１０−２１Ｊ−１．７９４×１０−２２Ｊ
電子のラブのエネルギー２＝９．２５０×１０−５０Ｊ÷３．５８８×１０−２１Ｊ＝２．５７８×１０−２９Ｊ
電子のラブのエネルギー＝（２．５７８×１０−２９Ｊ）１／２＝（２５．７８×１０−３０Ｊ）１／２＝５．０７７×１０−１５Ｊ
【請求項１３】
電子のラブと陽子のラブは自分のエネルギーと軌道を温度１／２として表現できる。
電子のラブのエネルギーは、温度１／２に比例し、電子のラブの軌道は、温度１／２に反比例する。
電子のラブの温度１／２は、電子のラブのエネルギーに比例し、電子のラブの温度１／２は、電子のラブの軌道に反比例する
電子のラブのエネルギー＝地上の電子のラブのエネルギー×温度１／２
電子のラブの軌道＝地上の電子のラブの軌道÷温度１／２
陽子のラブのエネルギー＝地上の陽子のラブのエネルギー×温度１／２
陽子のラブの軌道＝地上の陽子のラブの軌道÷温度１／２
地上を１℃とします。
地上の電子のラブのエネルギーは、８．１８７×１０−１４Ｊです。軌道は、１．０５８×１０−１０ｍです。
地上の陽子のラブのエネルギーは、１．５×１０−１０Ｊです。軌道は、５．７６４×１０−１４ｍです。
・例えば、１００００℃の場では、
電子のラブのエネルギーは、８．１８７×１０−１４Ｊ×１００＝８．１８７×１０−１２Ｊです。
軌道は、１．０５８×１０−１０ｍ÷１００＝１．０５８×１０−１２ｍです。
陽子のラブのエネルギーは、１．５×１０−１０Ｊ×１００＝１．５×１０−８Ｊです。
軌道は、５．７６４×１０−１４ｍ÷１００＝５．７６４×１０−１６ｍです。
・例えば、−２００℃の場では、
電子のラブのエネルギーは、８．１８７×１０−１４Ｊ÷２００１／２＝８．１８７×１０−１４Ｊ÷１４．１４２＝５．７８９×１０−１５Ｊです。
軌道は、１．０５８×１０−１０ｍ×２００１／２＝１．０５８×１０−１０ｍ×１４．１４２＝１．４９６×１０−９ｍです。
陽子のラブのエネルギーは、１．５×１０−１０Ｊ÷２００１／２＝１．５×１０−１０Ｊ÷１４．１４２＝１．０６１×１０−１１Ｊです。
軌道は、５．７６４×１０−１４ｍ×２００１／２＝５．７６４×１０−１４ｍ×１４．１４２＝８．１５１×１０−１３ｍです。
【請求項１４】
星の形成について。
星の形成は４段階に分かれる。
▲１▼第１段階は、原始星の生成です。
原始星の中心にブラックホールや中性子星が存在する。
ブラックホールや中性子星でできた磁気の光子と電気の光子がジェット噴射し、且つ放射する。この電気の光子と磁気の光子が、ダークマターである自転する電子のラブや陽子のラブに付加することにより、ダークマターを活性化し、公転させ、水素とする。これがブラックホールや中性子星の周囲に集まり、原始星を作る。
ジェットが届く軌道に小惑星ができる。
ジェット噴射により、エネルギーは６．３５３分の１になり、ジェット噴射は終わる。
▲２▼第２段階は、原始星から２種類のジェットが噴射する事です。
１種類のジェットは、中心のブラックホールや中性子星から放出するジェットです。
１種類のジェットが届く軌道に小惑星ができる。
２種類のジェットは、その周囲から放出するジェットで、核融合反応がおきた時のジェットです。
２種類のジェットが届く軌道に小惑星ができる。
中心のブラックホールや中性子星でできた磁気の光子と電気の光子が、ジェット噴射し、且つ又放射する。これによって、ダークマターが活性化し、公転し、水素となり、原始星に集まる。
核融合反応でできた磁気の光子と電気の光子が、ジェット噴射し、且つ又放射する。これによって、ダークマターが活性化し、公転し、水素となり、原始星に集まる。
１種類のジェットは、中心のブラックホールや中性子星のエネルギーが６．３５３分の１になったら終わる。
▲３▼第３段階は、星の生成です。
核融合反応のジェットが終わる。
核融合反応で生成するニュートリノや電気の光子や磁気の光子が放出する。ニュートリノは生成後すぐ星から放出する。電気の光子や磁気の光子は順次星から放出する。
▲４▼第４段階は、星の超新星爆発です。
星は超新星爆発し、中心に残った物は、更に６．３５３分の１に収縮する。
これが、次世代の原始星を作るブラックホールや中性子星になる。
【請求項１５】
太陽の先祖がたどった足跡はどのようであったか。第２世代の星の中で、Ｒｇ（レントゲニウム）までの元素ができたと考える場合。第２世代の星の質量が太陽の８．２４６倍の場合。
軌道は電子のラブの公転軌道を示す。
▲１▼第１世代の原始星の生成。
高エネルギーのブラックホールからジェット噴射する。（Ａ＝７．３７８×１０５をブラックホールとすると、高エネルギーのブラックホールになる。）
高エネルギーのブラックホールの軌道＝１．２９２×１０−１７ｍ
高エネルギーのブラックホールのＡ＝８．１８９×１０６
ジェット噴射により、エネルギーは６．３５３分の１になり、ジェット噴射は終わる。
▲２▼原始星から２種類のジェットが噴射する。
１種類のジェットが噴射する原始星の中心。
第１世代の原始星の中心の軌道＝８．２０８×１０−１７ｍ
第１世代の原始星の中心のＡ＝１．２８９×１０６
ジェット噴射により、エネルギーは６．３５３分の１になり、ジェット噴射は終わる。
▲３▼星の生成。
第１世代の星の中心の軌道＝５．２１５×１０−１６ｍ
第１世代の星の中心のＡ＝２．０２９×１０５
第１世代の星の質量＝５２．３８倍
▲４▼星の超新星爆発。
超新星爆発後、星の中心は残り、６．３５３分の１に収縮する。
中心に残った物の軌道＝８．２０８×１０−１７ｍ
中心に残った物のＡ＝１．２８９×１０６
これが、第２世代の原始星の基になる。
▲１▼第２世代の原始星の生成。
高エネルギーのブラックホールからジェット噴射する。
高エネルギーのブラックホールの軌道＝８．２０８×１０−１７ｍ
高エネルギーのブラックホールのＡ＝１．２８９×１０６
ジェット噴射により、エネルギーは６．３５３分の１になり、ジェット噴射は終わる。
▲２▼原始星から２種類のジェットが噴射する。
１種類のジェットが噴射する原始星の中心。
第２世代の原始星の中心の軌道＝５．２１５×１０−１６ｍ
第２世代の原始星の中心のＡ＝２．０２９×１０５
ジェット噴射により、エネルギーは６．３５３分の１になり、ジェット噴射は終わる。
▲３▼星の生成
第２世代の星の中心の軌道＝３．３１３×１０−１５ｍ
第２世代の星の中心のＡ＝３．１９３×１０４
第２世代の星の質量＝８．２４６倍
▲４▼星は超新星爆発する。
星は超新星爆発し、中心に残った物は、更に６．３５３分の１に収縮する。
中心に残った物の軌道＝５．２１５×１０−１６ｍ
中心に残った物のＡ＝２．０２９×１０５
これが、第３世代の原始星を作る高エネルギーの中性子星になる。
▲１▼第３世代の原始星の生成。
高エネルギーの中性子星の軌道＝５．２１５×１０−１６ｍ
高エネルギーの中性子星のＡ＝２．０２９×１０５
ジェット噴射により、エネルギーは６．３５３分の１になり、ジェット噴射は終わる。
▲２▼原始星から２種類のジェットが噴射する。
１種類のジェットが噴射する原始星の中心。
第３世代の原始星の中心の軌道＝３．３１３×１０−１５ｍ
第３世代の原始星の中心のＡ＝３．１９３×１０４
ジェット噴射により、エネルギーは８．２４６分の１になり、ジェット噴射は終わる。
▲３▼太陽の生成
太陽の中心の軌道＝２．７３２×１０−１４ｍ
太陽の中心のＡ＝３．８７２×１０３
太陽の質量＝１倍
▲４▼太陽は超新星爆発する。
太陽は超新星爆発し、中心に残った物は、更に６．３５３分の１に収縮する。
中心に残った物の軌道＝４．３００×１０−１５ｍ
中心に残った物のＡ＝２．４６０×１０４
これが、第４世代の原始星を作る基になる。
しかし、これは、中性子星の軌道より大きいので、ジェット噴射は起きず、原始星はできない。
【請求項１６】
太陽の先祖がたどった足跡はどのようであったか。第２世代の星の質量が太陽の８倍の場合。
この場合、第２世代の星の中でできた中性子の数は、８×８×４＝２５６です。原子番号１００番であるＦｍ（フェルミウム）までの元素ができた。
▲１▼第１世代の原始星の生成。
高エネルギーのブラックホールからジェット噴射する。
高エネルギーのブラックホールの軌道＝１．３３２×１０−１７ｍ
高エネルギーのブラックホールのＡ＝７．９４１×１０６
ジェット噴射により、エネルギーは６．３５３分の１になり、ジェット噴射は終わる。
▲２▼原始星から２種類のジェットが噴射する。
１種類のジェットが噴射する原始星の中心。
第１世代の原始星の中心の軌道＝８．４６２×１０−１７ｍ
第１世代の原始星の中心のＡ＝１．２５０×１０６
ジェット噴射により、エネルギーは６．３５３分の１になり、ジェット噴射は終わる。
▲３▼星の生成。
第１世代の星の中心の軌道＝５．３７６×１０−１６ｍ（＝中性子星）
第１世代の星の中心のＡ＝１．９６８×１０５
第１世代の星の質量＝５０．８２倍
▲４▼星の超新星爆発。
超新星爆発後、星の中心は残り、６．３５３分の１に収縮する。
中心に残った物の軌道＝８．４６２×１０−１７ｍ
中心に残った物のＡ＝１．２５０×１０６
これが、第２世代の原始星の基になる。
▲１▼第２世代の原始星の生成。
高エネルギーのブラックホールからジェット噴射する。
高エネルギーのブラックホールの軌道＝８．４６２×１０−１７ｍ
高エネルギーのブラックホールのＡ＝１．２５０×１０６
ジェット噴射により、エネルギーは６．３５３分の１になり、ジェット噴射は終わる。
▲２▼原始星から２種類のジェットが噴射する。
１種類のジェットが噴射する原始星の中心。
第２世代の原始星の中心の軌道＝５．３７６×１０−１６ｍ（＝中性子星）
第２世代の原始星の中心のＡ＝１．９６８×１０５
ジェット噴射により、エネルギーは６．３５３分の１になり、ジェット噴射は終わる。
▲３▼星の生成
第２世代の星の中心の軌道＝３．４１５×１０−１５ｍ
第２世代の星の中心のＡ＝３．０９８×１０４
第２世代の星の質量＝８倍
▲４▼星は超新星爆発する。
星は超新星爆発し、中心に残った物は、更に６．３５３分の１に収縮する。
中心に残った物の軌道＝５．３７６×１０−１６ｍ（＝中性子星）
中心に残った物のＡ＝１．９６８×１０５
これが、第３世代の原始星を作る中性子星になる。
▲１▼第３世代の原始星の生成。
中性子星の軌道＝５．３７６×１０−１６ｍ
中性子星のＡ＝１．９６８×１０５
ジェット噴射により、エネルギーは６．３５３分の１になり、ジェット噴射は終わる。
▲２▼原始星から２種類のジェットが噴射する。
１種類のジェットが噴射する原始星の中心。
第３世代の原始星の中心の軌道＝３．４１５×１０−１５ｍ
第３世代の原始星の中心のＡ＝３．０９８×１０４
ジェット噴射により、エネルギーは８分の１になり、ジェット噴射は終わる。
▲３▼太陽の生成
太陽の中心の軌道＝２．７３２×１０−１４ｍ
太陽の中心のＡ＝３．８７２×１０３
太陽の質量＝１倍
▲４▼太陽は超新星爆発する。
太陽は超新星爆発し、中心に残った物は、更に６．３５３分の１に収縮する。
中心に残った物の軌道＝４．３００×１０−１５ｍ
中心に残った物のＡ＝２．４６０×１０４
これが、第４世代の原始星を作る基になる。
しかし、これは、中性子星の軌道より大きいので、ジェット噴射は起きず、原始星はできない。
【請求項１７】
第２世代の星の質量が太陽の３０倍の星の先祖がたどった足跡。
▲１▼第１世代の原始星の生成。
高エネルギーのブラックホールからジェット噴射する。
高エネルギーのブラックホールの軌道＝３．５５３×１０−１８ｍ
高エネルギーのブラックホールのＡ＝２．９７８×１０７
ジェット噴射により、エネルギーは６．３５３分の１になり、ジェット噴射は終わる。
▲２▼原始星から２種類のジェットが噴射する。
１種類のジェットが噴射する原始星の中心。
第１世代の原始星の中心の軌道＝２．２５７×１０−１７ｍ
第１世代の原始星の中心のＡ＝４．６８７×１０６
ジェット噴射により、エネルギーは６．３５３分の１になり、ジェット噴射は終わる。
▲３▼星の生成。
第１世代の星の中心の軌道＝１．４３４×１０−１６ｍ（＝ブラックホール）
第１世代の星の中心のＡ＝７．３７８×１０５
第１世代の星の質量＝１９０．５倍
▲４▼星の超新星爆発。
超新星爆発後、星の中心は残り、６．３５３分の１に収縮する。
中心に残った物の軌道＝２．２５７×１０−１７ｍ
中心に残った物のＡ＝４．６８７×１０６
これが、第２世代の原始星の基になる。
▲１▼第２世代の原始星の生成。
高エネルギーのブラックホールからジェット噴射する。
高エネルギーのブラックホールの軌道＝２．２５７×１０−１７ｍ
高エネルギーのブラックホールのＡ＝４．６８７×１０６
ジェット噴射により、エネルギーは６．３５３分の１になり、ジェット噴射は終わる。
▲２▼原始星から２種類のジェットが噴射する。
１種類のジェットが噴射する原始星の中心。
第２世代の原始星の中心の軌道＝１．４３４×１０−１６ｍ（＝ブラックホール）
第２世代の原始星の中心のＡ＝７．３７８×１０５
ジェット噴射により、エネルギーは６．３５３分の１になり、ジェット噴射は終わる。
▲３▼星の生成
第２世代の星の中心の軌道＝９．１１×１０−１６ｍ
第２世代の星の中心のＡ＝１．１６１×１０５
第２世代の星の質量＝３０倍
▲４▼星は超新星爆発する。
星は超新星爆発し、中心に残った物は、更に６．３５３分の１に収縮する。
中心に残った物の軌道＝１．４３４×１０−１６ｍ（＝ブラックホール）
中心に残った物のＡ＝７．３７８×１０５
これが、第３世代の原始星を作るブラックホールになる。
▲１▼第３世代の原始星の生成。
ブラックホールの軌道＝１．４３４×１０−１６ｍ
ブラックホールのＡ＝７．３７８×１０５
ジェット噴射により、エネルギーは６．３５３分の１になり、ジェット噴射は終わる。
▲２▼原始星から２種類のジェットが噴射する。
１種類のジェットが噴射する原始星の中心。
第３世代の原始星の中心の軌道＝９．１１０×１０−１６ｍ
第３世代の原始星の中心のＡ＝１．１６１×１０５
ジェット噴射により、エネルギーは６．３５３分の１になり、ジェット噴射は終わる。
▲３▼第３世代の星の生成
第３世代の星の中心の軌道＝５．７８８×１０−１５ｍ
第３世代の星の中心のＡ＝１．８２７×１０４
第３世代の星の質量＝４．７２０倍
▲４▼第３世代の星は超新星爆発する。
第３世代の星は超新星爆発し、中心に残った物は、更に６．３５３分の１に収縮する。
中心に残った物の軌道＝９．１１０×１０−１６ｍ
中心に残った物のＡ＝１．１６１×１０５
これが、第４世代の原始星を作る基になる。
▲１▼第４世代の原始星の生成。
中心に残った物の軌道＝９．１１０×１０−１６ｍ
中心に残った物のＡ＝１．１６１×１０５
ジェット噴射により、エネルギーは６．３５３分の１になり、ジェット噴射は終わる。
▲２▼原始星から２種類のジェットが噴射する。
１種類のジェットが噴射する原始星の中心。
第４世代の原始星の中心の軌道＝５．７８８×１０−１５ｍ
第４世代の原始星の中心のＡ＝１．８２７×１０４
ジェット噴射により、エネルギーは６．３５３分の１になり、ジェット噴射は終わる。
▲３▼第４世代の星の生成
第４世代の星の中心の軌道＝３．６７７×１０−１４ｍ
第４世代の星の中心のＡ＝２．８７６×１０３
第４世代の星の質量＝０．７４３倍
▲４▼第４世代の星は超新星爆発する。
第４世代の星は超新星爆発し、中心に残った物は、更に６．３５３分の１に収縮する。
中心に残った物の軌道＝９．１１０×１０−１６ｍ
中心に残った物のＡ＝１．１６１×１０５
これが、第４世代の原始星を作る基になる。
しかし、これは、中性子星の軌道より大きいので、ジェット噴射は起きず、原始星はできない。
これを、表に示す。
2008086188.tif 000011
2008086188.tif 000012
【請求項１８】
星の先祖において、ダークマターを活性化する電気の光子の軌道と公転数ダークマターを活性化するためには、ダークマターである電子のラブと陽子のラブの自転軌道、６．９×１０−１７ｍに近い電気の光子の軌道が付加することが必要です。
電子のラブが公転し、電気の光子ができるので、電気の光子の軌道は、電子のラブの公転軌道とする。
ダークマターを活性化する電気の光子の軌道は、電子のラブの公転軌道です。
電気の光子の公転数＝電気の光子の数＝１３Ｋのエネルギー÷電気の光子１個のエネルギー＝１．７９４×１０−２２Ｊ÷（１．２３３×１０−４１Ｊｍ÷電気の光子の軌道）＝１．４５５×１０１９／ｍ×電気の光子の軌道＝１．４５５×１０１９／ｍ×電子のラブの公転軌道
電気の光子の公転数＝１．４５５×１０１９／ｍ×電気の光子の軌道  の式により得た値を表に示す。
2008086188.tif 000013
【請求項１９】
小惑星はどのような場合にできるか。
高エネルギーの電気の光子と磁気の光子がジェット噴射し、届いた場のダークマターを活性化し、水素を作る。小惑星はその水素が集まってできる。又、その場に、他の元素が存在した場合は、それも一緒に集まってできる。
小惑星は次の場合にできる。
▲１▼原始星の生成のとき、ブラックホールや中性子星が出すジェット噴射によってできる。
▲２▼原始星の中心から出るジェット噴射によってできる。
▲３▼原始星の中心の周囲の核融合反応によってできるジェット噴射によってできる。核融合反応はいつも同じ軌道でできるので、このジェット噴射はいつも同じ距離に届く。
小惑星ができる距離は、ジェットが届いた距離です。
ジェットが届いた距離＝太陽の半径×８４９×ジェットを出す場のＡ÷太陽の中央のＡ＝６．９６×１０５Ｋｍ×８４９×ジェットを出す場のＡ÷（３．８７２×１０３）
【請求項２０】
太陽の先祖が作った小惑星は、太陽からどれだけ離れた所に存在するか。
・第１世代の場合。
▲１▼原始星が生成する時のジェットによりできる。
第１世代の原始星の生成のＡ＝８．１８９×１０６
ジェットが届いた距離＝太陽の半径×８４９×第１世代の原始星の生成のＡ÷太陽の中心のＡ＝６．９６×１０５Ｋｍ×８４９×８．１８９×１０６÷（３．８７２×１０３）＝１．２５０×１０１２Ｋｍ
▲２▼原始星の中心から出るジェットによりできる。
第１世代の原始星の中心のＡ＝１．２８９×１０６
ジェットが届いた距離＝６．９６×１０５Ｋｍ×８４９×１．２８９×１０６÷（３．８７２×１０３）＝１．９６７×１０１１Ｋｍ
▲３▼核融合反応のジェットによりできる。これはいつも同じ距離の場にできる。
核融合反応の場のＡ＝３．８７２×１０３
ジェットが届いた距離＝６．９６×１０５Ｋｍ×８４９×３．８７２×１０３÷（３．８７２×１０３）＝５．９０９×１０８Ｋｍ
・第２世代の場合。
▲１▼原始星が生成する時のジェットによりできる。
第２世代の原始星の生成のＡ＝１．２８９×１０６
ジェットが届いた距離＝６．９６×１０５Ｋｍ×８４９×１．２８９×１０６÷（３．８７２×１０３）＝１．９６７×１０１１Ｋｍ
▲２▼原始星の中心から出るジェットによりできる。
第２世代の原始星の中心のＡ＝２．０２９×１０５
ジェットが届いた距離＝６．９６×１０５Ｋｍ×８４９×２．０２９×１０５÷（３．８７２×１０３）＝３．０９６×１０１０Ｋｍ
・第３世代の場合。
▲１▼原始星が生成する時のジェットによりできる。
第３世代の原始星の生成のＡ＝２．０２９×１０５
ジェットが届いた距離＝６．９６×１０５Ｋｍ×８４９×２．０２９×１０５÷（３．８７２×１０３）＝３．０９６×１０１０Ｋｍ
▲２▼原始星の中心から出るジェットによりできる。
第３世代の原始星の中心のＡ＝３．１９３×１０４
ジェットが届いた距離＝６．９６×１０５Ｋｍ×８４９×３．１９３×１０４÷（３．８７２×１０３）＝４．８７３×１０９Ｋｍ
・だだし、これは、太陽の先祖が居た同じ所に、太陽が居ると仮定した場合です。
【請求項２１】
小惑星が存在する距離と、小惑星のエネルギーと大きさの関係はどのようになっているか。
小惑星が存在する距離は、ジェット（電気の光子と磁気の光子）のエネルギーに比例する。
小惑星のエネルギーと大きさは、ジェット（電気の光子と磁気の光子）のエネルギーに比例する。ジェット（電気の光子と磁気の光子）のエネルギーは、ジェットが出た場のエネルギーに比例する。
よって、小惑星が存在する距離と、小惑星のエネルギーと大きさは、ジェットが出た場のエネルギーに比例する。
【請求項２２】
エッジワース・カイパーベルトの小惑星はどのようにできたか。
エッジワース・カイパーベルトの小惑星は、太陽から約１０１０Ｋｍ離れた場に存在する。
約３．０９６×１０１０Ｋｍ離れた場に存在するエッジワース・カイパーベルトの小惑星は、
第２世代の原始星の中心から出るジェットによりできた。
又、第３世代の原始星が生成する時のジェットによりできた。
約４．８７３×１０９Ｋｍ離れた場に存在するエッジワース・カイパーベルトの小惑星は、
第３世代の原始星の中心から出るジェットによりできた。
冥王星は、太陽から５．９１５２×１０９Ｋｍ離れた場所に存在するので、第３世代（太陽）の原始星の中心から出るジェットによりできた。
この他に、小惑星は、太陽から１０１２Ｋｍと１０１１Ｋｍ離れた場所に存在する。
【請求項２３】
約３．０９６×１０１０Ｋｍ離れた場に存在するエッジワース・カイパーベルト小惑星の大きさは、約４．８７３×１０９Ｋｍ離れた場に存在するエッジワース・カイパーベルト小惑星の大きさの何倍か。
小惑星の大きさは、ジェットである光子のエネルギーに比例するから、ジェットができた場のＡに比例する。但しＡは地表のエネルギーを１とするエネルギーの比です。
それで、
約３．０９６×１０１０Ｋｍ離れた場に存在するエッジワース・カイパーベルト小惑星の大きさ：約４．８７３×１０９Ｋｍ離れた場に存在するエッジワース・カイパーベルト小惑星の大きさ＝２．０２９×１０５：３．１９３×１０４＝６．３５５：１
約３．０９６×１０１０Ｋｍ離れた場に存在するエッジワース・カイパーベルト小惑星の大きさは、約４．８７３×１０９Ｋｍ離れた場に存在するエッジワース・カイパーベルト小惑星の大きさの約６．３５５倍です。
距離の比＝エネルギーの比＝大きさの比
・ただし、遠くの小惑星ほど長時間存在し続けているので、エネルギーは減少している。
【請求項２４】
第２世代の星の質量が、太陽の３０倍である星の先祖が作った小惑星はどのようになっているか。
・第１世代の場合。
▲１▼原始星が生成する時のジェットによりできる。
第１世代の原始星の生成のＡ＝２．９７８×１０７
ジェットが届いた距離＝６．９６×１０５Ｋｍ×８４９×２．９７８×１０７÷（３．８７２×１０３）＝４．５４５×１０１２Ｋｍ
▲２▼原始星の中心から出るジェットによりできる。
第１世代の原始星の中心のＡ＝４．６８７×１０６
ジェットが届いた距離＝６．９６×１０５Ｋｍ×８４９×４．６８７×１０６÷（３．８７２×１０３）＝７．１５３×１０１１Ｋｍ
▲３▼核融合反応のジェットによりできる。これはいつも同じ距離の場にできる。
核融合反応の場のＡ＝３．８７２×１０３
ジェットが届いた距離＝６．９６×１０５Ｋｍ×８４９×３．８７２×１０３÷（３．８７２×１０３）＝５．９０９×１０８Ｋｍ
・第２世代の場合。
▲１▼原始星が生成する時のジェットによりできる。
第２世代の原始星の生成のＡ＝４．６８７×１０６
ジェットが届いた距離＝６．９６×１０５Ｋｍ×８４９×４．６８７×１０６÷（３．８７２×１０３）＝７．１５３×１０１１Ｋｍ
▲２▼原始星の中心から出るジェットによりできる。
第２世代の原始星の中心のＡ＝７．３７８×１０５
ジェットが届いた距離＝６．９６×１０５Ｋｍ×８４９×７．３７８×１０５÷（３．８７２×１０３）＝１．１２６×１０１１Ｋｍ
・第３世代の場合。
▲１▼原始星が生成する時のジェットによりできる。
第３世代の原始星の生成のＡ＝７．３７８×１０５
ジェットが届いた距離＝６．９６×１０５Ｋｍ×８４９×７．３７８×１０５÷（３．８７２×１０３）＝１．１２６×１０１１Ｋｍ
▲２▼原始星の中心から出るジェットによりできる。
第３世代の原始星の中心のＡ＝１．１６１×１０５
ジェットが届いた距離＝６．９６×１０５Ｋｍ×８４９×１．１６１×１０５÷（３．８７２×１０３）＝１．７７２×１０１０Ｋｍ
まとめて表に示す。
2008086188.tif 000014
2008086188.tif 000015
【請求項２５】
原始星ができる時、原始星のブラックホールは、太陽の質量の何倍のブラックホールでできるか。
例えば、銀河の中心が太陽の質量の１０９倍のブラックホールである場合、銀河の中心のＡは、Ａ＝ブラックホールのＡ×１０９  です。
このように、銀河の中心のＡは、ブラックホールのＡ×太陽の質量の倍数  です。
原始星の場合、原始星のブラックホールのＡ＝ブラックホールのＡ×太陽の質量の倍数  です。
原始星のブラックホールが太陽の質量のＢ倍である場合、
原始星の生成のＡ＝ブラックホールのＡ×太陽の質量のＢ倍
太陽の質量のＢ倍＝原始星の生成のＡ÷ブラックホールのＡ
この式により、原始星ができるとき、原始星は太陽の何倍のブラックホールであるかを計算する。
例えば、太陽の質量の１９０．５倍の星が、原始星の生成のとき、Ａ＝２．９７８×１０７ですから、
ブラックホールの太陽の質量の倍数＝２．９７８×１０７÷（７．３７８×１０５）＝４０．３６３
太陽の質量の１９０．５倍の星が、原始星の生成のときのブラックホールは、太陽の質量の４０．３６３倍です。
原始星ができる時、原始星のブラックホールは太陽の質量の何倍かを表にする。
2008086188.tif 000016
2008086188.tif 000017
【請求項２６】
星の質量でできる磁気圏はどこまで届くか。
私が、２００７年４月１８日に提出した、特願２００７−１３３４７６の「請求項１２」において、星や惑星の水素はどのようにできたか、を記した。
それは次の通りです。
｛第１世代の星の質量は太陽の８．２４６倍です。第１世代の星の中央部の電子のラブの公転軌道は、３．３１２×１０−１５ｍです。Ａ＝３．１９４×１０４です。
太陽の質量を１とします。太陽の中央部の電子のラブの公転軌道は、２．７３２×１０−１４ｍです。
Ａ＝３．８７３×１０３です。
地球の質量は、３．０４０４×１０−６倍です。地球の中央部の電子のラブの公転軌道は、１．０５８×１０−１０ｍ÷８５．６＝２．２１×１０−１２ｍです。Ａ＝８５．６です。（１０−１２ｍを１０−２ｍと書き間違った。）
第１世代の星の質量は太陽の８．２４６倍です。Ａも太陽の８．２４６倍です。
星の質量とＡは正比例します。
星の質量＝太陽の質量×星のＡ÷太陽のＡ  です。
地球の質量＝太陽の質量×地球のＡ÷太陽のＡ×ｘ＝１×８５．６÷（３．８７３×１０３）×ｘ＝３．０４０４×１０−６
ｘ＝１．３７６×１０−４
地球の質量＝太陽の質量×地球のＡ÷太陽のＡ×１．３７６×１０−４
太陽の質量＝地球の質量÷地球のＡ×太陽のＡ÷（１．３７６×１０−４）
星の質量＝地球の質量÷地球のＡ×太陽のＡ÷（１．３７６×１０−４）×星のＡ÷太陽のＡ＝地球の質量÷地球のＡ÷（１．３７６×１０−４）×星のＡ＝地球の質量÷８５．６÷（１．３７６×１０−４）×星のＡ＝地球の質量×星のＡ×８４．９
星の質量＝地球の質量×星のＡ×８４．９｝
地球の質量でできる磁気圏は、１０×地球の半径  です。
星の質量でできる磁気圏は、
星の質量÷地球の質量×１０×地球の半径＝地球の質量×星のＡ×８４．９÷地球の質量×１０×地球の半径＝星のＡ×８４９×地球の半径＝星のＡ×８４９×６．３７８×１０３Ｋｍ＝星のＡ×５．４１５×１０６Ｋｍ
星の質量でできる磁気圏は、星のＡ×５．４１５×１０６Ｋｍまで届きます。
【請求項２７】
太陽でできる磁気圏はどこまで届くか。
太陽のＡ＝３．８７２×１０３ですから、
太陽の質量でできる磁気圏は、星のＡ×５．４１５×１０６Ｋｍ＝３．８７２×１０３×５．４１５×１０６Ｋｍ＝２．０９７×１０１０Ｋｍです。
太陽でできる磁気圏は、２．０９７×１０１０Ｋｍまで届きます。
【請求項２８】
太陽１個分のブラックホールでできる磁気圏はどこまで届くか。
ブラックホールのＡは、７．３７８×１０５ですから、
太陽１個分のブラックホールでできる磁気圏は、星のＡ×５．４１５×１０６Ｋｍ＝７．３７８×１０５×５．４１５×１０６Ｋｍ＝３．９９５×１０１２Ｋｍです。
太陽１個分のブラックホールでできる磁気圏は、３．９９５×１０１２Ｋｍまで届きます。
【請求項２９】
太陽の質量の１０９倍のクエーサーが作る磁気圏はどこまで届くか。
太陽１個分のブラックホールでできる磁気圏は３．９９５×１０１２Ｋｍですから、太陽の質量の１０９倍のクエーサーが作る磁気圏は、３．９９５×１０１２Ｋｍ×１０９＝３．９９５×１０２１Ｋｍです。
太陽の質量の１０９倍のクエーサーが作る磁気圏は、３．９９５×１０２１Ｋｍまで届きます。
【請求項３０】
星の質量と星の中心のＡと星の中心の電子のラブの軌道の関係式について。
「請求項２６」より、
星の質量＝地球の質量×星のＡ×８４．９＝３．０４０４×１０−６×星のＡ×８４．９＝２．５８１×１０−４×星のＡ
２．５８１×１０−４×星のＡ＝２．７３２×１０−１４÷（１．０５８×１０−１０÷星のＡ）＝２．７３２×１０−１４÷星の中心の電子のラブの軌道
即ち、
星の質量＝２．５８１×１０−４×星のＡ
星の質量＝２．７３２×１０−１４÷星の中心の電子のラブの軌道
２．５８１×１０−４×星のＡ＝２．７３２×１０−１４÷星の中心の電子のラブの軌道
星のＡ＝２．７３２×１０−１４÷星の中心の電子のラブの軌道÷（２．５８１×１０−４）＝１．０５８×１０−１０÷星の中心の電子のラブの軌道
星の中心の電子のラブの軌道＝１．０５８×１０−１０÷星のＡ
【請求項３１】
熱平衡状態後、最初に存在したものは何か。
熱平衡状態の軌道は、２００７年５月１０日に提出した特願２００７−１５０９５９の「請求項５」に記しました。
▲１▼温度から考える場合。熱平衡状態の軌道は、３．１６２×１０−１７ｍになります。
▲２▼軌道から考える場合。熱平衡状態の軌道は、４×１０−１７ｍになります。
熱平衡状態の場で、公転軌道が４×１０−１７ｍの電子のラブと陽子のラブは集まりました。そこから、“高エネルギーのジェット”が噴出しました。あちらこちらに“高エネルギーのジェット”ができました。
その“高エネルギーのジェット”がボイドを作りました。
【請求項３２】
クエーサーは銀河の中心の活動銀河核です。それで、ボイドを作ったのはクエーサーではない。
私は、２００７年５月１０日に提出した特願２００７−１５０９５９の「請求項９」で、
（即ち、宇宙の銀河が泡のようになっているのは、クエーサーから噴出するジェット噴射が長時間続き、ジェット噴射が当たる場に存在する、自転軌道が１０−２４ｍの電子のラブと陽子のラブが集まる。この場が“ブラックホールの素子”である、自転軌道が１０−２４ｍの電子のラブと陽子のラブなので、これが集まり、質量の大きなブラックホールになり、これが銀河の中心となる。
銀河はクエーサーを中心とする球上にできた。これが銀河は泡のように並んでいる原因です。）と記しました。
しかし、クエーサーは銀河の中心の活動銀河核です。それで、ボイドを作ったのはクエーサーではない。クエーサーを最初に存在した巨大ジェットであると勘違いしました。
【請求項３３】
ボイドを作った高エネルギーのジェットを“ボイドを作った高エネルギーのジェット”と名づけます。“ボイドを作った高エネルギーのジェット”は“超ブラックホール体”でできました。
ボイドを作った高エネルギーのジェットを“ボイドを作った高エネルギーのジェット”と名づけます。
“ボイドを作った高エネルギーのジェット”は泡宇宙を作ったジェットでもあります。
“ボイドを作った高エネルギーのジェット”は宇宙が熱平衡状態の時できました。
熱平衡状態の場で、公転軌道が４×１０−１７ｍの電子のラブと陽子のラブが集まりました。その質量が太陽の１０１０倍であると仮定します。
この物質を“超ブラックホール体”と名づけます。この物質を構成する電子のラブと陽子のラブの公転軌道が４×１０−１７ｍで、ブラックホールを構成する電子のラブと陽子のラブの公転軌道１．４３４×１０−１６ｍより小さいからです。
“超ブラックホール体”から“ボイドを作った高エネルギーのジェット”が噴出しました。
“超ブラックホール体”の電子のラブと陽子のラブが自転し公転してできた電気の光子と磁気の光子は、“ボイドを作った高エネルギーのジェット”となって噴出しました。
【請求項３４】
“ボイドを作った高エネルギーのジェット”はどうして“ブラックホールの素子”を活性化したのか。図５
“超ブラックホール体”の中にある、電子のラブと陽子のラブの公転軌道は４×１０−１７ｍです。それで、４×１０−１７ｍの公転軌道の電気の光子と磁気の光子ができました。この光子が“ボイドを作った高エネルギーのジェット”となり、噴出しました。“ボイドを作った高エネルギーのジェット”である電気の光子と磁気の光子が“ブラックホールの素子”である、公転軌道が１０−１６ｍである電子のラブと陽子のラブに付加しました。それで、“ブラックホールの素子”である電子のラブと陽子のラブは活性化しました。
【請求項３５】
“ボイドを作った高エネルギーのジェット”はどこまで届いたか。
“超ブラックホール体”の電子のラブと陽子のラブの公転軌道は４×１０−１７ｍですから、Ａの値は、Ａ＝１．０５８×１０−１０ｍ÷（４×１０−１７ｍ）＝２．６４５×１０６です。
“超ブラックホール体”の質量が太陽の１０１０倍であるとしますと、“ボイドを作った高エネルギーのジェット”は、
太陽の半径×８４９×“超ブラックホール体”のＡ÷太陽の中心のＡ×太陽の質量の何倍か＝６．９６×１０５Ｋｍ×８４９×２．６４５×１０６÷（３．８７２×１０３）×１０１０＝４．０３７×１０２１Ｋｍまで届きました。
“ボイドを作った高エネルギーのジェット”は、半径４．０３７×１０２１Ｋｍまで届いた。
【請求項３６】
ボイドができた時、１ｍ３にどれだけの電子のラブと陽子のラブは存在したか。
ボイドは、ボイドの空間の電子のラブと陽子のラブが“超ブラックホール体”に集合したので、空になった空間です。
半径４．０３７×１０２１Ｋｍの球体には、太陽の質量の１０１０倍の電子のラブと陽子のラブが存在した。
１Ｋｇには、電子のラブと陽子のラブが６×１０２６個存在します。
太陽の質量の１０１０倍の電子のラブと陽子のラブの数＝６×１０２６個×太陽の質量×太陽の質量の倍数＝６×１０２６個×１．９８９×１０３０Ｋｇ×１０１０＝１．１９３４×１０６７個球体の体積は、
４π÷３×（４．０３７×１０２１ｍ）３＝２．７５５×１０６５ｍ３です。
２．７５５×１０６５ｍ３の空間に、１．１９３４×１０６７個の電子のラブと陽子のラブが存在した。
よって、ボイドができた時、１ｍ３に、
１．１９３４×１０６７個÷（２．７５５×１０６５ｍ３）＝４３．３
４３．３個の電子のラブと陽子のラブが存在した。
【請求項３７】
ダークマターは１ｍ３にどれだけ存在するか。
ボイドができた時は、“ブラックホールの素子”の時代であり、１０−１６ｍの時代です。
現在は、１０−１４ｍの時代です。これは、エネルギーが小さくなった事を示す。
電子のラブの公転軌道は１００倍に成ったけれど、４３．３個の電子のラブと陽子のラブは１ｍ３に存在するので、これによって空間は拡大する必要は無い。
それで、空間は拡大しないと考えると、４３．３個の電子のラブと陽子のラブは１ｍ３に存在する。
ダークマターは１ｍ３に４３．３個存在する。
宇宙の１ｍ３の質量は、４３．３個の電子のラブと陽子のラブの質量です。
４３．３個の電子のラブと陽子のラブの質量＝（９．１０９５×１０−３１Ｋｇ＋１．６７２６５×１０−２７Ｋｇ）×４３．３＝７．２４６５１８６×１０−２６Ｋｇです。
ダークマターは１ｍ３に７．２４６５１８６×１０−２６Ｋｇ存在する。
【請求項３８】
“ボイドを作った高エネルギーのジェット”は何を作ったか。クエーサーの生成と楕円銀河の生成。
“ボイドを作った高エネルギーのジェット”は、“ブラックホールの素子”の場に当たった。
そこには、１０−１６ｍで公転する電子のラブと陽子のラブがいた。
“ボイドを作った高エネルギーのジェット”である、４×１０−１７ｍの軌道の電気の光子は、“ブラックホールの素子”に当たり、付加し、“ブラックホールの素子”を活性化し、磁気の光子により“ブラックホールの素子”を集めた。
“ブラックホールの素子”の集団ができた。
集団の“ブラックホールの素子”の数が多い者はクエーサーに成った。
集団の“ブラックホールの素子”の数が少ない者は原始星に成った。原始星は星になり、星が集まって、楕円銀河に成った。
【請求項３９】
棒渦巻銀河の生成。
棒渦巻銀河は、通常の渦巻銀河とちがい、腕が中央からは無く、中心をつらぬく棒構造の両端から出ているのが特徴です。
棒渦巻銀河の生成は、
▲１▼１０−１６ｍの場で、銀河の中心に、“ブラックホールの素子”が集まり、集団ができる。しかし、この集団の中心の電子のラブの軌道が大きすぎるので、ジェットを噴出できない。それで、周囲の電子のラブと陽子のラブを集めた。
▲２▼ジェットが噴出した。ジェットが届いた所にいた電子のラブと陽子のラブを活性化し、“ブラックホールの素子”の集団である原始星を生成する。
この時、銀河の周囲の電子のラブと陽子のラブは、銀河の中心に集められて存在しないので、棒の部分に原始星はできない。
【請求項４０】
渦巻銀河の生成。
▲１▼１０−１６ｍの場で、銀河の中心に、たくさんの“ブラックホールの素子”が集まり、集団ができる。この集団の中心は電子のラブの公転軌道が小さくジェットを噴出できた。
▲２▼ジェット噴射である電気の光子は、当たった部分の電子の光子と磁気の光子を活性化し、“ブラックホールの素子”の集団である原始星を生成する。
それで、棒の部分にも“ブラックホールの素子”の集団（原始星の中心）を作る。
【請求項４１】
銀河の形成
１０−１６ｍの場で、“ボイドを作った高エネルギーのジェット”がたくさん当たった場所に居た、たくさんの“ブラックホールの素子”は活性化され、集まり、“ブラックホールの素子”の集団を作る。集団の“ブラックホールの素子”の数によって、原始星になるか、棒渦巻銀河に成るか、渦巻銀河に成るかが決定される。
原始星になる、集団の“ブラックホールの素子”の数は、太陽の質量の４０倍から０．２倍です。
棒渦巻銀河に成る集団の“ブラックホールの素子”の数は、渦巻銀河に成る集団の“ブラックホールの素子”の数より小さい。
棒渦巻銀河に成る集団の“ブラックホールの素子”の数＜渦巻銀河に成る集団の“ブラックホールの素子”の数
よって、星になり、それが集まって、楕円銀河に成るか、棒渦巻銀河に成るか、渦巻銀河に成るかの違いは、“ボイドを作った高エネルギーのジェット”が当たった光子の量であり、光子を受けた“ブラックホールの素子”の数によります。
【請求項４２】
星ができた時、どれだけの体積の“ブラックホールの素子”が活性化されたか。
ボイドができた時、１ｍ３に、４３．３個の電子のラブと陽子のラブは存在した。
それで、１０−１６ｍの場にも、１ｍ３に、４３．３個の電子のラブと陽子のラブが存在したと考える。
太陽の質量の１９０．５倍の星の中心のブラックホールの質量は、太陽の４０．３６倍です。
この電子のラブと陽子のラブの数は、
１Ｋｇの電子のラブと陽子のラブの数×太陽の質量×４０．３６＝６×１０２６個×１．９８９×１０３０Ｋｇ×４０．３６＝４．８１７×１０５８個です。
何ｍ３の“ブラックホールの素子”が活性化されて、太陽の質量の１９０．５倍の星はできたか。
１ｍ３には、４３．３個の電子のラブと陽子のラブが存在しますから、
４．８１７×１０５８個÷４３．３個／ｍ３＝１．１１２×１０５７ｍ３
１．１１２×１０５７ｍ３の“ブラックホールの素子”が活性化された。
この半径はいくらか。
４π÷３×ｒ３＝１．１１２×１０５７ｍ３
ｒ＝６．４４４×１０１８ｍ
太陽の質量の１９０．５倍の星は、半径６．４４４×１０１８ｍの“ブラックホールの素子”が活性化されてできた。
太陽の質量の１００倍の星は、どれだけの体積の“ブラックホールの素子”が活性化されてできたか。
太陽の質量の１００倍の星のブラックホールの質量は、太陽の質量の、１００÷１９０．５×４０．３６＝２１．１８６倍です。
この電子のラブと陽子のラブの数は、
６×１０２６個×１．９８９×１０３０Ｋｇ×２１．１８６＝２．５２８×１０５８個です。
何ｍ３の“ブラックホールの素子”が活性化されて、太陽の質量の１００倍の星はできたか。
１ｍ３には、４３．３個の電子のラブと陽子のラブが存在しますから、
２．５２８×１０５８個÷４３．３個／ｍ３＝５．８３８×１０５６ｍ３
５．８３８×１０５６ｍ３の“ブラックホールの素子”が活性化された。
この半径はいくらか。
４π÷３×ｒ３＝５．８３８×１０５６ｍ３
ｒ＝５．１８５×１０１８ｍ
太陽の質量の１００倍の星は、半径５．１８５×１０１８ｍの“ブラックホールの素子”が活性化されてできた。
【請求項４３】
渦巻銀河ができた時、どれだけの体積の“ブラックホールの素子”が活性化されたか。
ボイドができた時、１ｍ３に、４３．３個の電子のラブと陽子のラブは存在した。
それで、１０−１６ｍの場にも、１ｍ３に、４３．３個の電子のラブと陽子のラブは存在したと考える。
１０−１６ｍの場で、渦巻銀河の中心のブラックホールは、太陽の質量１０５倍であったとする。
この電子のラブと陽子のラブの数は、
６×１０２６個×１．９８９×１０３０Ｋｇ×１０５＝１．１９３×１０６２個です。
何ｍ３の“ブラックホールの素子”が活性化されて、太陽の質量の１０５倍の渦巻銀河はできたか。
１ｍ３には、４３．３個の電子のラブと陽子のラブが存在しますから、
１．１９３×１０６２個÷４３．３個／ｍ３＝２．７５５×１０６０ｍ３
２．７５５×１０６０ｍ３の“ブラックホールの素子”が活性化された。
この半径はいくらか。
４π÷３×ｒ３＝２．７５５×１０６０ｍ３
ｒ＝８．６４×１０１９ｍ
太陽の質量の１０５倍の渦巻銀河は、半径８．６４×１０１９ｍに存在した“ブラックホールの素子”が活性化されてできた。
【発明の詳細な説明】
【技術分野】
【０００１】  この発明は、ダークマター、ブラックホール、中性子星、−２７３℃、−２６０℃、星の形成、ジェット噴射、原始星、小惑星、エッジワース・カイパーベルトの小惑星、磁気圏、ボイド、泡宇宙、１ｍ３の空中のダークマターの質量、クエーサー、楕円銀河、棒渦巻銀河、渦巻銀河に関する。
【背景技術】
【０００２】  どのようにしてダークマターは活性化し、水素に成るのか、そのメカニズムは理解されていない。温度と素粒子の関係は理解されていない。星の形成の第１歩はブラックホールの生成であることは理解されていない。ジェット噴射がどのようにダークマターを活性化し、小惑星を作るのかそのメカニズムについては理解されていない。ジェット噴射がどのようにブラックホールの集団を作るのかそのメカニズムについては理解されていない。ボイドはどのようにできたのか理解されていない。１ｍ３の空中にどれだけの質量のダークマターがあるのか理解されていない。
【発明の開示】
ダークマターはどのように活性化されるのか。ダークマターは自転する電子のラブと陽子のラブであり、これに電気の光子が付加する事によって活性化する。このメカニズムはどのようになっているのか。付加する電気の光子の軌道と、自転する電子のラブと陽子のラブの軌道の関係を知る。
原始星の中央にはブラックホールがある。ブラックホールは、公転軌道が１．４３４×１０−１６ｍである電子のラブと陽子のラブでできている。これを“ブラックホールの素子”と名づける。原始星の中央は、“ブラックホールの素子”の集団です。
この“ブラックホールの素子”の集団はどのようにできたのか。
“ブラックホールの素子”の集団は、１０−１６ｍの場の電子のラブと陽子のラブを活性化することによりできる。そのために必要なものは、軌道が１０−１６ｍに近い電気の光子と磁気の光子です。電気の光子は、１０−１６ｍの場の電子のラブと陽子のラブに付加し、活性化する。磁気の光子はこれらを集める。
軌道が１０−１６ｍに近い電気の光子と磁気の光子を作るものは何か。
これは、１０−１６ｍの場ができる以前に存在したもので、ジェット噴射するものです。これを“超ブラックホール体”と名づけ、ジェット噴射を“ボイドを作った超エネルギーのジェット”と名づける。
【発明が解決しようとする課題】
【０００３】１．ダークマターを活性化するとはどのようなことか。
２．どのようにしたら、自転する電子のラブと自転する陽子のラブを公転させることができるか。
３．どれだけの光子を与えたら、自転する電子のラブと自転する陽子のラブを公転させることができるか。
４．ダークマターを活性化させる（公転させる）メカニズムについて。
５．−２７３℃とはどのような温度か。
６．電子のラブの最低エネルギーはいくらか。陽子のラブの最低エネルギーはいくらか。そのエネルギーで電子のラブと陽子のラブは何ができるか。
７．電子のラブと陽子のラブが自転せず、質量だけに成った状態について。ダークマターのもう１つの見解。
８．ブラックホールの電子のラブと陽子のラブは自転し公転している。
９．“ブラックホールの素子”は、１０−１６ｍの場で、自転し公転する電子のラブと陽子のラブです。
１０．−２６０℃とはどのような温度か。
１１．ダークマターである自転する電子のラブと陽子のラブが電気の光子を付加し、エネルギーを大きくする事はどのような事か。
１２．付加する温度（光子）のエネルギーと電子のラブのエネルギーの関係式。
１３．電子のラブと陽子のラブは自分のエネルギーと軌道を温度１／２として表現できる。
１４．星の形成について。
１５．太陽の先祖がたどった足跡はどのようであったか。第２世代の星の中で、Ｒｇ（レントゲニウム）までの元素ができたと考える場合。第２世代の星の質量が太陽の８．２４６倍の場合。
１６．太陽の先祖がたどった足跡はどのようであったか。第２世代の星の質量が太陽の８倍の場合。
１７．第２世代の星の質量が太陽の３０倍の星の先祖がたどった足跡。
１８．星の先祖において、ダークマターを活性化する電気の光子の軌道と公転数
１９．小惑星はどのような場合にできるか。
２０．太陽の先祖が作った小惑星は、太陽からどれだけ離れた所に存在するか。
２１．小惑星が存在する距離と、小惑星のエネルギーと大きさの関係はどのようになっているか。
２２．エッジワース・カイパーベルトの小惑星はどのようにできたか。
２３．約３．０９６×１０１０Ｋｍ離れた場に存在するエッジワース・カイパーベルト小惑星の大きさは、約４．８７３×１０９Ｋｍ離れた場に存在するエッジワース・カイパーベルト小惑星の大きさの何倍か。
２４．第２世代の星の質量が、太陽の３０倍である星の先祖が作った小惑星はどのようになっているか。
２５．原始星ができる時、原始星のブラックホールは、太陽の質量の何倍のブラックホールでできるか。
２６．星の質量でできる磁気圏はどこまで届くか。
２７．太陽でできる磁気圏はどこまで届くか。
２８．太陽１個分のブラックホールでできる磁気圏はどこまで届くか。
２９．太陽の質量の１０９倍のクエーサーが作る磁気圏はどこまで届くか。
３０．星の質量と星の中心のＡと星の中心の電子のラブの軌道の関係式について。
３１．熱平衡状態後、最初に存在したものは何か。
３２．クエーサーは銀河の中心の活動銀河核です。それで、ボイドを作ったのはクエーサーではない。
３３．ボイドを作った高エネルギーのジェットを“ボイドを作った高エネルギーのジェット”と名づけます。“ボイドを作った高エネルギーのジェット”は“超ブラックホール体”でできました。
３４．“ボイドを作った高エネルギーのジェット”はどうして“ブラックホールの素子”を活性化したのか。
３５．“ボイドを作った高エネルギーのジェット”はどこまで届いたか。
３６．ボイドができた時、１ｍ３にどれだけの電子のラブと陽子のラブは存在したか。
３７．ダークマターは１ｍ３にどれだけ存在するか。
３８．“ボイドを作った高エネルギーのジェット”は何を作ったか。クエーサーの生成と楕円銀河の生成。
３９．棒渦巻銀河の生成。
４０．渦巻銀河の生成。
４１．銀河の形成
４２．星ができた時、どれだけの体積の“ブラックホールの素子”が活性化されたか。
４３．渦巻銀河ができた時、どれだけの体積の“ブラックホールの素子”が活性化されたか。
【発明を解決するための手段】
【０００４】  宇宙における諸問題を電子のラブと陽子のラブの公転軌道によって解決する。
宇宙の場を、その場における電子のラブの公転軌道で示す。
ダークマターは、ブラックホールでできる電気の光子によって活性化される。これらの軌道はほぼ同じサイズです。ダークマターはブラックホールから出る電気の光子が付加し、活性化する。
クエーサーや星の中心は“ブラックホールの素子”が集合したものです。これは、１０−１６ｍより小さい軌道の場でできたジェットによって活性化された。そのジェットは、熱平衡状態の場である４×１０−１７ｍの場でできた。これを、“ボイドを作った高エネルギーのジェット”と名づける。“ボイドを作った高エネルギーのジェット”は、４×１０−１７ｍの公転軌道の電子のラブと陽子のラブが集まってできた“超ブラックホール体”で作られる。
“ボイドを作った高エネルギーのジェット”により活性化された“ブラックホールの素子”が集合し、集団を作る。
この集団の“ブラックホールの素子”の数により、原始星ができそれが集まり、楕円銀河に成るか、棒渦巻銀河に成るか、渦巻銀河になるかが決定される。
【発明の実施態様】
【０００５】１．ダークマターを活性化するとはどのようなことか。
ダークマターは、自転する電子のラブと自転する陽子のラブです。
ダークマターを活性化するとは、自転する電子のラブと自転する陽子のラブを公転させることです。
２．どのようにしたら、自転する電子のラブと自転する陽子のラブを公転させることができるか。
自転する電子のラブに光子を付加させ、エネルギーを上げる事によって、電子のラブは公転する。
自転する陽子のラブに光子を付加させ、エネルギーを上げる事によって、陽子のラブは公転する。
３．どれだけの光子を与えたら、自転する電子のラブと自転する陽子のラブを公転させることができるか。
暗黒星雲は−２６０℃です。暗黒星雲は水素です。それで、−２６０℃で、電子のラブと陽子のラブは公転します。
−２７３℃で、電子のラブと陽子のラブは自転していますから、温度を、１３Ｋ上げたら公転する。
これは何Ｊか。
１Ｋは１．３８×１０−２３Ｊですから、
１３×１．３８×１０−２３Ｊ＝１．７９４×１０−２２Ｊです。
これは、電気の光子が何個でできるエネルギーか。
１公転でできる電気の光子のエネルギーは、１．２３３×１０−４１Ｊｍ÷光子の公転軌道  です。
これを１個の電気の光子とします。ｘ個の電気の光子でできるとします。
１．７９４×１０−２２Ｊ＝ｘ×１．２３３×１０−４１Ｊｍ÷電気の光子の公転軌道
ｘ＝１．７９４×１０−２２Ｊ÷（１．２３３×１０−４１Ｊｍ）×電気の光子の公転軌道＝１．４５５×１０１９／ｍ×電気の光子の公転軌道
もし、電気の光子の公転軌道が、１÷（１．４５５×１０１９）／ｍ＝６．８７３×１０−２０ｍであるならば、電気の光子１個で、１３Ｋになり、電子のラブと陽子のラブを公転させることができる。
・ブラックホールでは、電子のラブの公転軌道は、１．４３４×１０−１６ｍですから、これでできる電気の光子の軌道も１．４３４×１０−１６ｍです。
この電気の光子１個のエネルギーは、
１．２３３×１０−４１Ｊｍ÷電気の光子の公転軌道＝１．２３３×１０−４１Ｊｍ÷（１．４３４×１０−１６ｍ）＝８．５９８×１０−２６Ｊです。
１．７９４×１０−２２Ｊ÷（８．５９８×１０−２６Ｊ）＝２．０８７×１０３
１３Ｋは、電気の光子が２．０８７×１０３公転でできます。
電子のラブは、１秒間に（７．４９６×１０７）２回公転しますから、これは、
２．０８７×１０３÷（７．９６×１０７）２＝３．２９４×１０−１３秒でできる電気の光子です。
・中性子星では、電子のラブの公転軌道は、５．３７６×１０−１６ｍですから、これでできる電気の光子の軌道も５．３７６×１０−１６ｍです。
この電気の光子１個のエネルギーは、
１．２３３×１０−４１Ｊｍ÷電気の光子の公転軌道＝１．２３３×１０−４１Ｊｍ÷（５．３７６×１０−１６ｍ）＝２．２９４×１０−２６Ｊです。
１．７９４×１０−２２Ｊ÷（２．２９４×１０−２６Ｊ）＝７．８２０×１０３
１３Ｋは、電気の光子が７．８２０×１０３公転でできます。
４．ダークマターを活性化させる（公転させる）メカニズムについて。図１
地上の電子のラブの自転軌道は、４．１７５×１０−１８ｍです。地上の陽子のラブの自転軌道は、４．１８×１０−１８ｍです。ほぼ同じです。
それで、−２７３℃の電子のラブの自転軌道と、−２７３℃の陽子のラブの自転軌道は、
４．１８×１０−１８ｍ×２７３１／２＝４．１８×１０−１８ｍ×１６．５２７＝６．９０６×１０−１７ｍです。
６．９０６×１０−１７ｍの軌道で自転する電子のラブと自転する陽子のラブ（ダークマター）に、電気の光子を付加する事により、電子のラブのエネルギーと、陽子のラブのエネルギーが−２６０１／２℃になる。
例えば、ブラックホールの中の電子のラブの公転軌道は１．４３４×１０−１６ｍですから、電子のラブが作る電気の光子の軌道は、１．４３４×１０−１６ｍです。
これが、ダークマターの自転軌道６．９０６×１０−１７ｍに、付加する。２．０８７×１０３個付加する。
そうすると、自転する電子のラブのエネルギーが上がり、−２６０℃になる。
電子のラブ（ダークマター）の自転軌道は、
４．１７５×１０−１８ｍ×２６０１／２＝４．１７５×１０−１８ｍ×１６．１２４５＝６．７４０×１０−１７ｍになり、収縮し、電子のラブのエネルギーは大きくなる。
電子のラブのエネルギーは、
８．１８７×１０−１４Ｊ÷２６０１／２＝８．１８７×１０−１４Ｊ÷１６．１２４５＝５．０７７×１０−１５Ｊに成ります。
即ち、ダークマターである自転する電子のラブは、電気の光子のエネルギーを受け（付加し）、自分のエネルギーを−２６０℃にし、エネルギーを大きくし、公転できるようになる。
ダークマターである自転する電子のラブのエネルギーは、
８．１８７×１０−１４÷２７３１／２＝８．１８７×１０−１４÷１６．５２２７＝４．９５５×１０−１５Ｊです。
電気の光子のエネルギーを得る事によって、自分のエネルギーを−２６０℃にした。
電子のラブのエネルギーは、５．０７７×１０−１５Ｊになった。
電子のラブのエネルギーが５．０７７×１０−１５Ｊになる事によって、初めて、電子のラブは公転できるようになった。
電子のラブが公転できるためには、５．０７７×１０−１５Ｊ以上のエネルギーでなければできません。
陽子のラブの場合。
陽子のラブは、ダークマターであるとき、−２７３１／２℃のエネルギーであった。
１．５×１０−１０÷２７３１／２＝１．５×１０−１０÷１６．５２２７＝９．０７８４×１０−１２Ｊでした。
これに、ブラックホールでできた電気の光子が付加した。
１．４３４×１０−１６ｍの軌道で、８．５９８×１０−２６Ｊの電気の光子が２．０８７×１０３個付加した。
それで、陽子のラブの温度は−２６０１／２になった。
陽子のラブの軌道は、
４．１８×１０−１８ｍ×２６０１／２＝４．１８×１０−１８×１６．１２４５７＝６．７４０×１０−１７ｍになった。
陽子のラブのエネルギーは、
１．５×１０−１０÷２６０１／２＝１．５×１０−１０÷１６．１２４５７＝９．３０３×１０−１２Ｊになった。
陽子のラブはエネルギーが９．３０３×１０−１２Ｊになって、初めて公転ができます。
陽子のラブが公転するためには、９．３０３×１０−１２Ｊ以上のエネルギーでなければできません。
まとめて表に示す。
2008086188.tif 000003
５．−２７３℃とはどのような温度か。
−２７３℃とは、電子のラブと陽子のラブが自転する温度です。
電子のラブは自分のエネルギーが４．９５５×１０−１５Ｊに成ったとき、エネルギーが小さいので、自転よりできなくなる。
電子のラブは自分の温度が−２７３℃に成ったとき、エネルギーが小さいので、自転よりできなくなる。
陽子のラブは自分のエネルギーが９．０７８×１０−１２Ｊに成ったとき、エネルギーが小さいので、自転よりできなくなる。
陽子のラブは自分の温度が−２７３℃に成ったとき、エネルギーが小さいので、自転よりできなくなる。
６．電子のラブの最低エネルギーはいくらか。陽子のラブの最低エネルギーはいくらか。
そのエネルギーで電子のラブと陽子のラブは何ができるか。
電子のラブの最低のエネルギーは、４．９５５×１０−１５Ｊです。陽子のラブの最低のエネルギーは、９．０７８×１０−１２Ｊです。
この最低のエネルギーで、電子のラブと陽子のラブは自転ができます。
７．電子のラブと陽子のラブが自転せず、質量だけに成った状態について。ダークマターのもう１つの見解。
私は、−２７３℃は、電子のラブと陽子のラブは自転だけしている状態であると考えました。
しかし、電子のラブと陽子のラブが自転せず、質量だけに成った状態とはどのような状態でしようか。
この場合、質量はありますので、無ではありません。
電子のラブは、４．９５５×１０−１５Ｊ以下のエネルギーで、質量は９．１０９５×１０−３１Ｋｇです。
陽子のラブは、９．０７８×１０−１２Ｊ以下のエネルギーで、質量は１．６７２６５×１０−２７Ｋｇです。
でも、−２７３℃以下の温度は存在しませんので、
電子のラブのエネルギーは、４．９５５×１０−１５Ｊです。その質量は９．１０９５×１０−３１Ｋｇです。
陽子のラブのエネルギーは、９．０７８×１０−１２Ｊです。その質量は１．６７２６５×１０−２７Ｋｇです。
よって、電子のラブと陽子のラブが自転せず、質量だけに成った状態は、
電子のラブのエネルギーは、４．９５５×１０−１５Ｊです。その質量は９．１０９５×１０−３１Ｋｇです。
陽子のラブのエネルギーは、９．０７８×１０−１２Ｊです。その質量は１．６７２６５×１０−２７Ｋｇです。
これを、ダークマターとみなす事もできます。
８．ブラックホールの電子のラブと陽子のラブは自転し公転している。
私は、ブラックホールの場では、電子のラブと陽子のラブは、公転せず自転だけすると考えてきました。ところが、今回、ダークマターの活性化を考えますと、ブラックホールの電子のラブは公転していて、公転してできる電気の光子が、ダークマターである自転する電子のラブに付加することを理解しました。この理解により、ブラックホールの電子のラブは公転する事を知りました。
ブラックホールの電子のラブと陽子のラブは自転し公転する。
９．“ブラックホールの素子”は、１０−１６ｍの場で、自転し公転する電子のラブと陽子のラブです。
２００７年５月１０日に提出した特願２００７−１５０９５９の「請求項９」で、“ブラックホールの素子”について記した。それを次のように訂正する。
１０−１６ｍの場は、ブラックホールの場です。いわば、ブラックホールになる素子がたくさん存在する場です。１０−１６ｍの場に存在する自転し公転する電子のラブと陽子のラブを“ブラックホールの素子”と名づける。
“ブラックホールの素子”は、１０−１６ｍの場に、自転し公転する電子のラブと陽子のラブです。１０−１６ｍの場で、電子のラブと陽子のラブは、１０−２４ｍの軌道で自転し、１０−１６ｍの軌道で公転します。
１０．−２６０℃とはどのような温度か。
電子のラブは自分の温度が−２６０℃で、エネルギーが５．０７７×１０−１５Ｊのとき公転ができるようになる。
電子のラブが公転するために必要な最低の自分の温度は−２６０で、エネルギーは５．０７７×１０−１５Ｊです。
陽子のラブは自分の温度が−２６０℃で、エネルギーが９．３０３×１０−１２Ｊのとき公転ができるようになる。
陽子のラブが公転するために必要な最低の自分の温度は−２６０で、エネルギーは９．３０３×１０−１２Ｊです。
１１．ダークマターである自転する電子のラブと陽子のラブが電気の光子を付加し、エネルギーを大きくする事はどのような事か。
ダークマターである自転する電子のラブと陽子のラブが電気の光子を付加し、エネルギーを大きくする。
この事は、
電子のラブのエネルギー＝ダークマターである自転する電子のラブのエネルギー＋付加する光子のエネルギー  です。
１２．付加する温度（光子）のエネルギーと電子のラブのエネルギーの関係式。
▲１▼付加する温度（光子）のエネルギーが０℃以上の場合。
電子のラブのエネルギー＝８．１８７×１０−１４Ｊ×温度１／２
付加する温度のエネルギー＝（２７３＋温度）×１．３８×１０−２３Ｊ＝３．７６７×１０−２１Ｊ＋温度×１．３８×１０−２３Ｊ
温度＝｛電子のラブのエネルギー÷（８．１８７×１０−１４Ｊ）｝２
付加する温度のエネルギー＝３．７６７×１０−２１Ｊ＋｛電子のラブのエネルギー÷（８．１８７×１０−１４Ｊ）｝２×１．３８×１０−２３Ｊ＝３．７６７×１０−２１Ｊ＋電子のラブのエネルギー２×２．０５９×１０３
電子のラブのエネルギー２＝（付加する温度のエネルギー−３．７６７×１０−２１Ｊ）÷（２．０５９×１０３）
・例えば、付加する温度が１００℃の場合。
付加する温度のエネルギー＝（２７３＋１００）×１．３８×１０−２３Ｊ＝５．１４７×１０−２１Ｊ
電子のラブのエネルギー２＝（５．１４７×１０−２１Ｊ−３．７６７×１０−２１Ｊ）÷（２．０５９×１０３）＝６．７０２×１０−２５Ｊ
電子のラブのエネルギー＝（６７．０２×１０−２６）１／２＝８．１８７×１０−１３Ｊ
▲２▼付加する温度（光子）のエネルギーが０℃以下の場合。
温度は−の絶対値とする。
電子のラブのエネルギー＝８．１８７×１０−１４Ｊ÷温度１／２
付加する温度のエネルギー＝（２７３−温度）×１．３８×１０−２３Ｊ＝３．７６７×１０−２１Ｊ−温度×１．３８×１０−２３Ｊ
温度＝（８．１８７×１０−１４Ｊ÷電子のラブのエネルギー）２＝６７．０２７×１０−２８Ｊ÷電子のラブのエネルギー２
付加する温度のエネルギー＝３．７６７×１０−２１Ｊ−６７．０２７×１０−２８Ｊ÷電子のラブのエネルギー２×１．３８×１０−２３Ｊ＝３．７６７×１０−２１Ｊ−９．２５０×１０−５０Ｊ÷電子のラブのエネルギー２
電子のラブのエネルギー２＝９．２５０×１０−５０Ｊ÷（３．７６７×１０−２１Ｊ−付加する温度のエネルギー）
・例えば、−２６０℃で、付加する温度が１３Ｋの場合。
付加する温度のエネルギー＝（２７３−２６０）×１．３８×１０−２３Ｊ＝３．７６７×１０−２１Ｊ−２６０×１．３８×１０−２３Ｊ＝１．７９４×１０−２２Ｊ
１．７９４×１０−２２Ｊ＝３．７６７×１０−２１Ｊ−９．２５０×１０−５０Ｊ÷電子のラブのエネルギー２
９．２５０×１０−５０Ｊ÷電子のラブのエネルギー２＝３．７６７×１０−２１Ｊ−１．７９４×１０−２２Ｊ
電子のラブのエネルギー２＝９．２５０×１０−５０Ｊ÷３．５８８×１０−２１Ｊ＝２．５７８×１０−２９Ｊ
電子のラブのエネルギー＝（２．５７８×１０−２９Ｊ）１／２＝（２５．７８×１０−３０Ｊ）１／２＝５．０７７×１０−１５Ｊ
１３．電子のラブと陽子のラブは自分のエネルギーと軌道を温度１／２として表現できる。
電子のラブのエネルギーは、温度１／２に比例し、電子のラブの軌道は、温度１／２に反比例する。
電子のラブの温度１／２は、電子のラブのエネルギーに比例し、電子のラブの温度１／２は、電子のラブの軌道に反比例する
電子のラブのエネルギー＝地上の電子のラブのエネルギー×温度１／２
電子のラブの軌道＝地上の電子のラブの軌道÷温度１／２
陽子のラブのエネルギー＝地上の陽子のラブのエネルギー×温度１／２
陽子のラブの軌道＝地上の陽子のラブの軌道÷温度１／２
地上を１℃とします。
地上の電子のラブのエネルギーは、８．１８７×１０−１４Ｊです。軌道は、１．０５８×１０−１０ｍです。
地上の陽子のラブのエネルギーは、１．５×１０−１０Ｊです。軌道は、５．７６４×１０−１４ｍです。
・例えば、１００００℃の場では、
電子のラブのエネルギーは、８．１８７×１０−１４Ｊ×１００＝８．１８７×１０−１２Ｊです。
軌道は、１．０５８×１０−１０ｍ÷１００＝１．０５８×１０−１２ｍです。
陽子のラブのエネルギーは、１．５×１０−１０Ｊ×１００＝１．５×１０−８Ｊです。
軌道は、５．７６４×１０−１４ｍ÷１００＝５．７６４×１０−１６ｍです。
・例えば、−２００℃の場では、
電子のラブのエネルギーは、８．１８７×１０−１４Ｊ÷２００１／２＝８．１８７×１０−１４Ｊ÷１４．１４２＝５．７８９×１０−１５Ｊです。
軌道は、１．０５８×１０−１０ｍ×２００１／２＝１．０５８×１０−１０ｍ×１４．１４２＝１．４９６×１０−９ｍです。
陽子のラブのエネルギーは、１．５×１０−１０Ｊ÷２００１／２＝１．５×１０−１０Ｊ÷１４．１４２＝１．０６１×１０−１１Ｊです。
軌道は、５．７６４×１０−１４ｍ×２００１／２＝５．７６４×１０−１４ｍ×１４．１４２＝８．１５１×１０−１３ｍです。
１４．星の形成について。図２
星の形成は４段階に分かれる。
▲１▼第１段階は、原始星の生成です。
原始星の中心にブラックホールや中性子星が存在する。
ブラックホールや中性子星でできた磁気の光子と電気の光子がジェット噴射し、且つ放射する。この電気の光子と磁気の光子が、ダークマターである自転する電子のラブや陽子のラブに付加することにより、ダークマターを活性化し、公転させ、水素とする。これがブラックホールや中性子星の周囲に集まり、原始星を作る。
ジェットが届く軌道に小惑星ができる。
ジェット噴射により、エネルギーは６．３５３分の１になり、ジェット噴射は終わる。
▲２▼第２段階は、原始星から２種類のジェットが噴射する事です。
１種類のジェットは、中心のブラックホールや中性子星から放出するジェットです。
１種類のジェットが届く軌道に小惑星ができる。
２種類のジェットは、その周囲から放出するジェットで、核融合反応がおきた時のジェットです。
２種類のジェットが届く軌道に小惑星ができる。
中心のブラックホールや中性子星でできた磁気の光子と電気の光子が、ジェット噴射し、且つ又放射する。これによって、ダークマターが活性化し、公転し、水素となり、原始星に集まる。
核融合反応でできた磁気の光子と電気の光子が、ジェット噴射し、且つ又放射する。これによって、ダークマターが活性化し、公転し、水素となり、原始星に集まる。
１種類のジェットは、中心のブラックホールや中性子星のエネルギーが６．３５３分の１になったら終わる。
▲３▼第３段階は、星の生成です。
核融合反応のジェットが終わる。
核融合反応で生成するニュートリノや電気の光子や磁気の光子が放出する。ニュートリノは生成後すぐ星から放出する。電気の光子や磁気の光子は順次星から放出する。
▲４▼第４段階は、星の超新星爆発です。
星は超新星爆発し、中心に残った物は、更に６．３５３分の１に収縮する。
これが、次世代の原始星を作るブラックホールや中性子星になる。
１５．太陽の先祖がたどった足跡はどのようであったか。第２世代の星の中で、Ｒｇ（レントゲニウム）までの元素ができたと考える場合。第２世代の星の質量が太陽の８．２４６倍の場合。
軌道は電子のラブの公転軌道を示す。
▲１▼第１世代の原始星の生成。
高エネルギーのブラックホールからジェット噴射する。（Ａ＝７．３７８×１０５をブラックホールとすると、高エネルギーのブラックホールになる。）
高エネルギーのブラックホールの軌道＝１．２９２×１０−１７ｍ
高エネルギーのブラックホールのＡ＝８．１８９×１０６
ジェット噴射により、エネルギーは６．３５３分の１になり、ジェット噴射は終わる。
▲２▼原始星から２種類のジェットが噴射する。
１種類のジェットが噴射する原始星の中心。
第１世代の原始星の中心の軌道＝８．２０８×１０−１７ｍ
第１世代の原始星の中心のＡ＝１．２８９×１０６
ジェット噴射により、エネルギーは６．３５３分の１になり、ジェット噴射は終わる。
▲３▼星の生成。
第１世代の星の中心の軌道＝５．２１５×１０−１６ｍ
第１世代の星の中心のＡ＝２．０２９×１０５
第１世代の星の質量＝５２．３８倍
▲４▼星の超新星爆発。
超新星爆発後、星の中心は残り、６．３５３分の１に収縮する。
中心に残った物の軌道＝８．２０８×１０−１７ｍ
中心に残った物のＡ＝１．２８９×１０６
これが、第２世代の原始星の基になる。
▲１▼第２世代の原始星の生成。
高エネルギーのブラックホールからジェット噴射する。
高エネルキーのブラックホールの軌道＝８．２０８×１０−１７ｍ
高エネルギーのブラックホールのＡ＝１．２８９×１０６
ジェット噴射により、エネルギーは６．３５３分の１になり、ジェット噴射は終わる。
▲２▼原始星から２種類のジェットが噴射する。
１種類のジェットが噴射する原始星の中心。
第２世代の原始星の中心の軌道＝５．２１５×１０−１６ｍ
第２世代の原始星の中心のＡ＝２．０２９×１０５
ジェット噴射により、エネルギーは６．３５３分の１になり、ジェット噴射は終わる。
▲３▼星の生成
第２世代の星の中心の軌道＝３．３１３×１０−１５ｍ
第２世代の星の中心のＡ＝３．１９３×１０４
第２世代の星の質量＝８．２４６倍
▲４▼星は超新星爆発する。
星は超新星爆発し、中心に残った物は、更に６．３５３分の１に収縮する。
中心に残った物の軌道＝５．２１５×１０−１６ｍ
中心に残った物のＡ＝２．０２９×１０５
これが、第３世代の原始星を作る高エネルギーの中性子星になる。
▲１▼第３世代の原始星の生成。
高エネルギーの中性子星の軌道＝５．２１５×１０−１６ｍ
高エネルギーの中性子星のＡ＝２．０２９×１０５
ジェット噴射により、エネルギーは６．３５３分の１になり、ジェット噴射は終わる。
▲２▼原始星から２種類のジェットが噴射する。
１種類のジェットが噴射する原始星の中心。
第３世代の原始星の中心の軌道＝３．３１３×１０−１５ｍ
第３世代の原始星の中心のＡ＝３．１９３×１０４
ジェット噴射により、エネルギーは８．２４６分の１になり、ジェット噴射は終わる。
▲３▼太陽の生成
太陽の中心の軌道＝２．７３２×１０−１４ｍ
太陽の中心のＡ＝３．８７２×１０３
太陽の質量＝１倍
▲４▼太陽は超新星爆発する。
太陽は超新星爆発し、中心に残った物は、更に６．３５３分の１に収縮する。
中心に残った物の軌道＝４．３００×１０−１５ｍ
中心に残った物のＡ＝２．４６０×１０４
これが、第４世代の原始星を作る基になる。
しかし、これは、中性子星の軌道より大きいので、ジェット噴射は起きず、原始星はできない。
１６．太陽の先祖がたどった足跡はどのようであったか。第２世代の星の質量が太陽の８倍の場合。
この場合、第２世代の星の中でできた中性子の数は、８×８×４＝２５６です。原子番号１００番であるＦｍ（フェルミウム）までの元素ができた。
▲１▼第１世代の原始星の生成。
高エネルギーのブラックホールからジェット噴射する。
高エネルギーのブラックホールの軌道＝１．３３２×１０−１７ｍ
高エネルギーのブラックホールのＡ＝７．９４１×１０６
ジェット噴射により、エネルギーは６．３５３分の１になり、ジェット噴射は終わる。
▲２▼原始星から２種類のジェットが噴射する。
１種類のジェットが噴射する原始星の中心。
第１世代の原始星の中心の軌道＝８．４６２×１０−１７ｍ
第１世代の原始星の中心のＡ＝１．２５０×１０６
ジェット噴射により、エネルギーは６．３５３分の１になり、ジェット噴射は終わる。
▲３▼星の生成。
第１世代の星の中心の軌道＝５．３７６×１０−１６ｍ（＝中性子星）
第１世代の星の中心のＡ＝１．９６８×１０５
第１世代の星の質量＝５０．８２倍
▲４▼星の超新星爆発。
超新星爆発後、星の中心は残り、６．３５３分の１に収縮する。
中心に残った物の軌道＝８．４６２×１０−１７ｍ
中心に残った物のＡ＝１．２５０×１０６
これが、第２世代の原始星の基になる。
▲１▼第２世代の原始星の生成。
高エネルギーのブラックホールからジェット噴射する。
高エネルギーのブラックホールの軌道＝８．４６２×１０−１７ｍ
高エネルギーのブラックホールのＡ＝１．２５０×１０６
ジェット噴射により、エネルギーは６．３５３分の１になり、ジェット噴射は終わる。
▲２▼原始星から２種類のジェットが噴射する。
１種類のジェットが噴射する原始星の中心。
第２世代の原始星の中心の軌道＝５．３７６×１０−１６ｍ（＝中性子星）
第２世代の原始星の中心のＡ＝１．９６８×１０５
ジェット噴射により、エネルギーは６．３５３分の１になり、ジェット噴射は終わる。
▲３▼星の生成
第２世代の星の中心の軌道＝３．４１５×１０−１５ｍ
第２世代の星の中心のＡ＝３．０９８×１０４
第２世代の星の質量＝８倍
▲４▼星は超新星爆発する。
星は超新星爆発し、中心に残った物は、更に６．３５３分の１に収縮する。
中心に残った物の軌道＝５．３７６×１０−１６ｍ（＝中性子星）
中心に残った物のＡ＝１．９６８×１０５
これが、第３世代の原始星を作る中性子星になる。
▲１▼第３世代の原始星の生成。
中性子星の軌道＝５．３７６×１０−１６ｍ
中性子星のＡ＝１．９６８×１０５
ジェット噴射により、エネルギーは６．３５３分の１になり、ジェット噴射は終わる。
▲２▼原始星から２種類のジェットが噴射する。
１種類のジェットが噴射する原始星の中心。
第３世代の原始星の中心の軌道＝３．４１５×１０−１５ｍ
第３世代の原始星の中心のＡ＝３．０９８×１０４
ジェット噴射により、エネルギーは８分の１になり、ジェット噴射は終わる。
▲３▼太陽の生成
太陽の中心の軌道＝２．７３２×１０−１４ｍ
太陽の中心のＡ＝３．８７２×１０３
太陽の質量＝１倍
▲４▼太陽は超新星爆発する。
太陽は超新星爆発し、中心に残った物は、更に６．３５３分の１に収縮する。
中心に残った物の軌道＝４．３００×１０−１５ｍ
中心に残った物のＡ＝２．４６０×１０４
これが、第４世代の原始星を作る基になる。
しかし、これは、中性子星の軌道より大きいので、ジェット噴射は起きず、原始星はできない。
１７．第２世代の星の質量が太陽の３０倍の星の先祖がたどった足跡。
▲１▼第１世代の原始星の生成。
高エネルギーのブラックホールからジェット噴射する。
高エネルギーのブラックホールの軌道＝３．５５３×１０−１８ｍ
高エネルギーのブラックホールのＡ＝２．９７８×１０７
ジェット噴射により、エネルギーは６．３５３分の１になり、ジェット噴射は終わる。
▲２▼原始星から２種類のジェットが噴射する。
１種類のジェットが噴射する原始星の中心。
第１世代の原始星の中心の軌道＝２．２５７×１０−１７ｍ
第１世代の原始星の中心のＡ＝４．６８７×１０６
ジェット噴射により、エネルギーは６．３５３分の１になり、ジェット噴射は終わる。
▲３▼星の生成。
第１世代の星の中心の軌道＝１．４３４×１０−１６ｍ（＝ブラックホール）
第１世代の星の中心のＡ＝７．３７８×１０５
第１世代の星の質量＝１９０．５倍
▲４▼星の超新星爆発。
超新星爆発後、星の中心は残り、６．３５３分の１に収縮する。
中心に残った物の軌道＝２．２５７×１０−１７ｍ
中心に残った物のＡ＝４．６８７×１０６
これが、第２世代の原始星の基になる。
▲１▼第２世代の原始星の生成。
高エネルギーのブラックホールからジェット噴射する。
高エネルギーのブラックホールの軌道＝２．２５７×１０−１７ｍ
高エネルギーのブラックホールのＡ＝４．６８７×１０６
ジェット噴射により、エネルギーは６．３５３分の１になり、ジェット噴射は終わる。
▲２▼原始星から２種類のジェットが噴射する。
１種類のジェットが噴射する原始星の中心。
第２世代の原始星の中心の軌道＝１．４３４×１０−１６ｍ（＝ブラックホール）
第２世代の原始星の中心のＡ＝７．３７８×１０５
ジェット噴射により、エネルギーは６．３５３分の１になり、ジェット噴射は終わる。
▲３▼星の生成
第２世代の星の中心の軌道＝９．１１×１０−１６ｍ
第２世代の星の中心のＡ＝１．１６１×１０５
第２世代の星の質量＝３０倍
▲４▼星は超新星爆発する。
星は超新星爆発し、中心に残った物は、更に６．３５３分の１に収縮する。
中心に残った物の軌道＝１．４３４×１０−１６ｍ（＝ブラックホール）
中心に残った物のＡ＝７．３７８×１０５
これが、第３世代の原始星を作るブラックホールになる。
▲１▼第３世代の原始星の生成。
ブラックホールの軌道＝１．４３４×１０−１６ｍ
ブラックホールのＡ＝７．３７８×１０５
ジェット噴射により、エネルギーは６．３５３分の１になり、ジェット噴射は終わる。
▲２▼原始星から２種類のジェットが噴射する。
１種類のジェットが噴射する原始星の中心。
第３世代の原始星の中心の軌道＝９．１１０×１０−１６ｍ
第３世代の原始星の中心のＡ＝１．１６１×１０５
ジェット噴射により、エネルギーは６．３５３分の１になり、ジェット噴射は終わる。
▲３▼第３世代の星の生成
第３世代の星の中心の軌道＝５．７８８×１０−１５ｍ
第３世代の星の中心のＡ＝１．８２７×１０４
第３世代の星の質量＝４．７２０倍
▲４▼第３世代の星は超新星爆発する。
第３世代の星は超新星爆発し、中心に残った物は、更に６．３５３分の１に収縮する。
中心に残った物の軌道＝９．１１０×１０−１６ｍ
中心に残った物のＡ＝１．１６１×１０５
これが、第４世代の原始星を作る基になる。
▲１▼第４世代の原始星の生成。
中心に残った物の軌道＝９．１１０×１０−１６ｍ
中心に残った物のＡ＝１．１６１×１０５
ジェット噴射により、エネルギーは６．３５３分の１になり、ジェット噴射は終わる。
▲２▼原始星から２種類のジェットが噴射する。
１種類のジェットが噴射する原始星の中心。
第４世代の原始星の中心の軌道＝５．７８８×１０−１５ｍ
第４世代の原始星の中心のＡ＝１．８２７×１０４
ジェット噴射により、エネルギーは６．３５３分の１になり、ジェット噴射は終わる。
▲３▼第４世代の星の生成
第４世代の星の中心の軌道＝３．６７７×１０−１４ｍ
第４世代の星の中心のＡ＝２．８７６×１０３
第４世代の星の質量＝０．７４３倍
▲４▼第４世代の星は超新星爆発する。
第４世代の星は超新星爆発し、中心に残った物は、更に６．３５３分の１に収縮する。
中心に残った物の軌道＝９．１１０×１０−１６ｍ
中心に残った物のＡ＝１．１６１×１０５
これが、第４世代の原始星を作る基になる。
しかし、これは、中性子星の軌道より大きいので、ジェット噴射は起きず、原始星はできない。
これを、表に示す。
2008086188.tif 000004
2008086188.tif 000005
１８．星の先祖において、ダークマターを活性化する電気の光子の軌道と公転数
ダークマターを活性化するためには、ダークマターである電子のラブと陽子のラブの自転軌道、６．９×１０−１７ｍに近い電気の光子の軌道が付加することが必要です。
電子のラブが公転し、電気の光子ができるので、電気の光子の軌道は、電子のラブの公転軌道とする。
ダークマターを活性化する電気の光子の軌道は、電子のラブの公転軌道です。
電気の光子の公転数＝電気の光子の数＝１３Ｋのエネルギー÷電気の光子１個のエネルギー＝１．７９４×１０−２２Ｊ÷（１．２３３×１０−４１Ｊｍ÷電気の光子の軌道）＝１．４５５×１０１９／ｍ×電気の光子の軌道＝１．４５５×１０１９／ｍ×電子のラブの公転軌道
電気の光子の公転数＝１．４５５×１０１９／ｍ×電気の光子の軌道  の式により得た値を表に示す。
2008086188.tif 000006
１９．小惑星はどのような場合にできるか。
高エネルギーの電気の光子と磁気の光子がジェット噴射し、届いた場のダークマターを活性化し、水素を作る。小惑星はその水素が集まってできる。又、その場に、他の元素が存在した場合は、それも一緒に集まってできる。
小惑星は次の場合にできる。
▲１▼原始星の生成のとき、ブラックホールや中性子星が出すジェット噴射によってできる。
▲２▼原始星の中心から出るジェット噴射によってできる。
▲３▼原始星の中心の周囲の核融合反応によってできるジェット噴射によってできる。核融合反応はいつも同じ軌道でできるので、このジェット噴射はいつも同じ距離に届く。
小惑星ができる距離は、ジェットが届いた距離です。
ジェットが届いた距離＝太陽の半径×８４９×ジェットを出す場のＡ÷太陽の中央のＡ＝６．９６×１０５Ｋｍ×８４９×ジェットを出す場のＡ÷（３．８７２×１０３）
２０．太陽の先祖が作った小惑星は、太陽からどれだけ離れた所に存在するか。図４
・第１世代の場合。
▲１▼原始星が生成する時のジェットによりできる。
第１世代の原始星の生成のＡ＝８．１８９×１０６
ジェットが届いた距離＝太陽の半径×８４９×第１世代の原始星の生成のＡ÷太陽の中心のＡ＝６．９６×１０５Ｋｍ×８４９×８．１８９×１０６÷（３．８７２×１０３）＝１．２５０×１０１２Ｋｍ
▲２▼原始星の中心から出るジェットによりできる。
第１世代の原始星の中心のＡ＝１．２８９×１０６
ジェットが届いた距離＝６．９６×１０５Ｋｍ×８４９×１．２８９×１０６÷（３．８７２×１０３）＝１．９６７×１０１１Ｋｍ
▲３▼核融合反応のジェットによりできる。これはいつも同じ距離の場にできる。
核融合反応の場のＡ＝３．８７２×１０３
ジェットが届いた距離＝６．９６×１０５Ｋｍ×８４９×３．８７２×１０３÷（３．８７２×１０３）＝５．９０９×１０８Ｋｍ
・第２世代の場合。
▲１▼原始星が生成する時のジェットによりできる。
第２世代の原始星の生成のＡ＝１．２８９×１０６
ジェットが届いた距離＝６．９６×１０５Ｋｍ×８４９×１．２８９×１０６÷（３．８７２×１０３）＝１．９６７×１０１１Ｋｍ
▲２▼原始星の中心から出るジェットによりできる。
第２世代の原始星の中心のＡ＝２．０２９×１０５
ジェットが届いた距離＝６．９６×１０５Ｋｍ×８４９×２．０２９×１０５÷（３．８７２×１０３）＝３．０９６×１０１０Ｋｍ
・第３世代の場合。
▲１▼原始星が生成する時のジェットによりできる。
第３世代の原始星の生成のＡ＝２．０２９×１０５
ジェットが届いた距離＝６．９６×１０５Ｋｍ×８４９×２．０２９×１０５÷（３．８７２×１０３）＝３．０９６×１０１０Ｋｍ
▲２▼原始星の中心から出るジェットによりできる。
第３世代の原始星の中心のＡ＝３．１９３×１０４
ジェットが届いた距離＝６．９６×１０５Ｋｍ×８４９×３．１９３×１０４÷（３．８７２×１０３）＝４．８７３×１０９Ｋｍ
・だだし、これは、太陽の先祖が居た同じ所に、太陽が居ると仮定した場合です。
２１．小惑星が存在する距離と、小惑星のエネルギーと大きさの関係はどのようになっているか。
小惑星が存在する距離は、ジェット（電気の光子と磁気の光子）のエネルギーに比例する。
小惑星のエネルギーと大きさは、ジェット（電気の光子と磁気の光子）のエネルギーに比例する。ジェット（電気の光子と磁気の光子）のエネルギーは、ジェットが出た場のエネルギーに比例する。
よって、小惑星が存在する距離と、小惑星のエネルギーと大きさは、ジェットが出た場のエネルギーに比例する。
２２．エッジワース・カイパーベルトの小惑星はどのようにできたか。
エッジワース・カイパーベルトの小惑星は、太陽から約１０１０Ｋｍ離れた場に存在する。
約３．０９６×１０１０Ｋｍ離れた場に存在するエッジワース・カイパーベルトの小惑星は、第２世代の原始星の中心から出るジェットによりできた。
又、第３世代の原始星が生成する時のジェットによりできた。
約４．８７３×１０９Ｋｍ離れた場に存在するエッジワース・カイパーベルトの小惑星は、第３世代の原始星の中心から出るジェットによりできた。
冥王星は、太陽から５．９１５２×１０９Ｋｍ離れた場所に存在するので、第３世代（太陽）の原始星の中心から出るジェットによりできた。
この他に、小惑星は、太陽から１０１２Ｋｍと１０１１Ｋｍ離れた場所に存在する。
２３．約３．０９６×１０１０Ｋｍ離れた場に存在するエッジワース・カイパーベルト小惑星の大きさは、約４．８７３×１０９Ｋｍ離れた場に存在するエッジワース・カイパーベルト小惑星の大きさの何倍か。
小惑星の大きさは、ジェットである光子のエネルギーに比例するから、ジェットができた場のＡに比例する。但しＡは地表のエネルギーを１とするエネルギーの比です。
それで、
約３．０９６×１０１０Ｋｍ離れた場に存在するエッジワース・カイパーベルト小惑星の大きさ：約４．８７３×１０９Ｋｍ離れた場に存在するエッジワース・カイパーベルト小惑星の大きさ＝２．０２９×１０５：３．１９３×１０４＝６．３５５：１
約３．０９６×１０１０Ｋｍ離れた場に存在するエッジワース・カイパーベルト小惑星の大きさは、約４．８７３×１０９Ｋｍ離れた場に存在するエッジワース・カイパーベルト小惑星の大きさの約６．３５５倍です。
距離の比＝エネルギーの比＝大きさの比
・ただし、遠くの小惑星ほど長時間存在し続けているので、エネルギーは減少している。
２４．第２世代の星の質量が、太陽の３０倍である星の先祖が作った小惑星はどのようになっているか。
・第１世代の場合。
▲１▼原始星が生成する時のジェットによりできる。
第１世代の原始星の生成のＡ＝２．９７８×１０７
ジェットが届いた距離＝６．９６×１０５Ｋｍ×８４９×２．９７８×１０７÷（３．８７２×１０３）＝４．５４５×１０１２Ｋｍ
▲２▼原始星の中心から出るジェットによりできる。
第１世代の原始星の中心のＡ＝４．６８７×１０６
ジェットが届いた距離＝６．９６×１０５Ｋｍ×８４９×４．６８７×１０６÷（３．８７２×１０３）＝７．１５３×１０１１Ｋｍ
▲３▼核融合反応のジェットによりできる。これはいつも同じ距離の場にできる。
核融合反応の場のＡ＝３．８７２×１０３
ジェットが届いた距離＝６．９６×１０５Ｋｍ×８４９×３．８７２×１０３÷（３．８７２×１０３）＝５．９０９×１０８Ｋｍ
・第２世代の場合。
▲１▼原始星が生成する時のジェットによりできる。
第２世代の原始星の生成のＡ＝４．６８７×１０６
ジェットが届いた距離＝６．９６×１０５Ｋｍ×８４９×４．６８７×１０６÷（３．８７２×１０３）＝７．１５３×１０１１Ｋｍ
▲２▼原始星の中心から出るジェットによりできる。
第２世代の原始星の中心のＡ＝７．３７８×１０５
ジェットが届いた距離＝６．９６×１０５Ｋｍ×８４９×７．３７８×１０５÷（３．８７２×１０３）＝１．１２６×１０１１Ｋｍ
・第３世代の場合。
▲１▼原始星が生成する時のジェットによりできる。
第３世代の原始星の生成のＡ＝７．３７８×１０５
ジェットが届いた距離＝６．９６×１０５Ｋｍ×８４９×７．３７８×１０５÷（３．８７２×１０３）＝１．１２６×１０１１Ｋｍ
▲２▼原始星の中心から出るジェットによりできる。
第３世代の原始星の中心のＡ＝１．１６１×１０５
ジェットが届いた距離＝６．９６×１０５Ｋｍ×８４９×１．１６１×１０５÷（３．８７２×１０３）＝１．７７２×１０１０Ｋｍ
まとめて表に示す。
2008086188.tif 000007
2008086188.tif 000008
２５．原始星ができる時、原始星のブラックホールは、太陽の質量の何倍のブラックホールでできるか。
例えば、銀河の中心が太陽の質量の１０９倍のブラックホールである場合、銀河の中心のＡは、Ａ＝ブラックホールのＡ×１０９  です。
このように、銀河の中心のＡは、ブラックホールのＡ×太陽の質量の倍数  です。
原始星の場合、原始星のブラックホールのＡ＝ブラックホールのＡ×太陽の質量の倍数  です。
原始星のブラックホールが太陽の質量のＢ倍である場合、
原始星の生成のＡ＝ブラックホールのＡ×太陽の質量のＢ倍
太陽の質量のＢ倍＝原始星の生成のＡ÷ブラックホールのＡ
この式により、原始星ができるとき、原始星は太陽の何倍のブラックホールであるかを計算する。
例えば、太陽の質量の１９０．５倍の星が、原始星の生成のとき、Ａ＝２．９７８×１０７ですから、
ブラックホールの太陽の質量の倍数＝２．９７８×１０７÷（７．３７８×１０５）＝４０．３６３
太陽の質量の１９０．５倍の星が、原始星の生成のときのブラックホールは、太陽の質量の４０．３６３倍です。
2008086188.tif 000009
２６．星の質量でできる磁気圏はどこまで届くか。
私が、２００７年４月１８日に提出した、特願２００７−１３３４７６の「請求項１２」において、星や惑星の水素はどのようにできたか、を記した。
それは次の通りです。
｛第１世代の星の質量は太陽の８．２４６倍です。第１世代の星の中央部の電子のラブの公転軌道は、３．３１２×１０−１５ｍです。Ａ＝３．１９４×１０４です。
太陽の質量を１とします。太陽の中央部の電子のラブの公転軌道は、２．７３２×１０−１４ｍです。
Ａ＝３．８７３×１０３です。
地球の質量は、３．０４０４×１０−６倍です。地球の中央部の電子のラブの公転軌道は、１．０５８×１０−１０ｍ÷８５．６＝２．２１×１０−１２ｍです。Ａ＝８５．６です。（１０−１２ｍを１０−２ｍと書き間違った。）
第１世代の星の質量は太陽の８．２４６倍です。Ａも太陽の８．２４６倍です。
星の質量とＡは正比例します。
星の質量＝太陽の質量×星のＡ÷太陽のＡ  です。
地球の質量＝太陽の質量×地球のＡ÷太陽のＡ×ｘ＝１×８５．６÷（３．８７３×１０３）×ｘ＝３．０４０４×１０−６
ｘ＝１．３７６×１０−４
地球の質量＝太陽の質量×地球のＡ÷太陽のＡ×１．３７６×１０−４
太陽の質量＝地球の質量÷地球のＡ×太陽のＡ÷（１．３７６×１０−４）
星の質量＝地球の質量÷地球のＡ×太陽のＡ÷（１．３７６×１０−４）×星のＡ÷太陽のＡ＝地球の質量÷地球のＡ÷（１．３７６×１０−４）×星のＡ＝地球の質量÷８５．６÷（１．３７６×１０−４）×星のＡ＝地球の質量×星のＡ×８４．９
星の質量＝地球の質量×星のＡ×８４．９｝
地球の質量でできる磁気圏は、１０×地球の半径  です。
星の質量でできる磁気圏は、
星の質量÷地球の質量×１０×地球の半径＝地球の質量×星のＡ×８４．９÷地球の質量×１０×地球の半径＝星のＡ×８４９×地球の半径＝星のＡ×８４９×６．３７８×１０３Ｋｍ＝星のＡ×５．４１５×１０６Ｋｍ
星の質量でできる磁気圏は、星のＡ×５．４１５×１０６Ｋｍまで届きます。
２７．太陽でできる磁気圏はどこまで届くか。
太陽のＡ＝３．８７２×１０３ですから、
太陽の質量でできる磁気圏は、星のＡ×５．４１５×１０６Ｋｍ＝３．８７２×１０３×５．４１５×１０６Ｋｍ＝２．０９７×１０１０Ｋｍです。
太陽でできる磁気圏は、２．０９７×１０１０Ｋｍまで届きます。
２８．太陽１個分のブラックホールでできる磁気圏はどこまで届くか。
ブラックホールのＡは、７．３７８×１０５ですから、
太陽１個分のブラックホールでできる磁気圏は、星のＡ×５．４１５×１０６Ｋｍ＝７．３７８×１０５×５．４１５×１０６Ｋｍ＝３．９９５×１０１２Ｋｍです。
太陽１個分のブラックホールでできる磁気圏は、３．９９５×１０１２Ｋｍまで届きます。
２９．太陽の質量の１０９倍のクエーサーが作る磁気圏はどこまで届くか。
太陽１個分のブラックホールでできる磁気圏は３．９９５×１０１２Ｋｍですから、太陽の質量の１０９倍のクエーサーが作る磁気圏は、３．９９５×１０１２Ｋｍ×１０９＝３．９９５×１０２１Ｋｍです。
太陽の質量の１０９倍のクエーサーが作る磁気圏は、３．９９５×１０２１Ｋｍまで届きます。
３０．星の質量と星の中心のＡと星の中心の電子のラブの軌道の関係式について。
「請求項２６」より、
星の質量＝地球の質量×星のＡ×８４．９＝３．０４０４×１０−６×星のＡ×８４．９＝２．５８１×１０−４×星のＡ
２．５８１×１０−４×星のＡ＝２．７３２×１０−１４÷（１．０５８×１０−１０÷星のＡ）＝２．７３２×１０−１４÷星の中心の電子のラブの軌道
即ち、
星の質量＝２．５８１×１０−４×星のＡ
星の質量＝２．７３２×１０−１４÷星の中心の電子のラブの軌道
２．５８１×１０−４×星のＡ＝２．７３２×１０−１４÷星の中心の電子のラブの軌道星のＡ＝２．７３２×１０−１４÷星の中心の電子のラブの軌道÷（２．５８１×１０−４）＝１．０５８×１０−１０÷星の中心の電子のラブの軌道
星の中心の電子のラブの軌道＝１．０５８×１０−１０÷星のＡ
３１．熱平衡状態後、最初に存在したものは何か。
熱平衡状態の軌道は、２００７年５月１０日に提出した特願２００７−１５０９５９の「請求項５」に記しました。
▲１▼温度から考える場合。熱平衡状態の軌道は、３．１６２×１０−１７ｍになります。
▲２▼軌道から考える場合。熱平衡状態の軌道は、４×１０−１７ｍになります。
熱平衡状態の場で、公転軌道が４×１０−１７ｍの電子のラブと陽子のラブは集まりました。そこから、“高エネルギーのジェット”が噴出しました。あちらこちらに“高エネルギーのジェット”ができました。
その“高エネルギーのジェット”がボイドを作りました。
３２．クエーサーは銀河の中心の活動銀河核です。それで、ボイドを作ったのはクエーサーではない。
私は、２００７年５月１０日に提出した特願２００７−１５０９５９の「請求項９」で、（即ち、宇宙の銀河が泡のようになっているのは、クエーサーから噴出するジェット噴射が長時間続き、ジェット噴射が当たる場に存在する、自転軌道が１０−２４ｍの電子のラブと陽子のラブが集まる。この場が“ブラックホールの素子”である、自転軌道が１０−２４ｍの電子のラブと陽子のラブなので、これが集まり、質量の大きなブラックホールになり、これが銀河の中心となる。
銀河はクエーサーを中心とする球上にできた。これが銀河は泡のように並んでいる原因です。）と記しました。
しかし、クエーサーは銀河の中心の活動銀河核です。それで、ボイドを作ったのはクエーサーではない。クエーサーを最初に存在した巨大ジェットであると勘違いしました。
３３．ボイドを作った高エネルギーのジェットを“ボイドを作った高エネルギーのジェット”と名づけます。“ボイドを作った高エネルギーのジェット”は“超ブラックホール体”でできました。
ボイドを作った高エネルギーのジェットを“ボイドを作った高エネルギーのジェット”と名づけます。
“ボイドを作った高エネルギーのジェット”は泡宇宙を作ったジェットでもあります。
“ボイドを作った高エネルギーのジェット”は宇宙が熱平衡状態の時できました。
熱平衡状態の場で、公転軌道が４×１０−１７ｍの電子のラブと陽子のラブが集まりました。その質量が太陽の１０１０倍であると仮定します。
この物質を“超ブラックホール体”と名づけます。この物質を構成する電子のラブと陽子のラブの公転軌道が４×１０−１７ｍで、ブラックホールを構成する電子のラブと陽子のラブの公転軌道１．４３４×１０−１６ｍより小さいからです。
“超ブラックホール体”から“ボイドを作った高エネルギーのジェット”が噴出しました。
“超ブラックホール体”の電子のラブと陽子のラブが自転し公転してできた電気の光子と磁気の光子は、“ボイドを作った高エネルギーのジェット”となって噴出しました。
３４．“ボイドを作った高エネルギーのジェット”はどうして“ブラックホールの素子”を活性化したのか。図５
“超ブラックホール体”の中にある、電子のラブと陽子のラブの公転軌道は４×１０−１７ｍです。それで、４×１０−１７ｍの公転軌道の電気の光子と磁気の光子ができました。この光子が“ボイドを作った高エネルギーのジェット”となり、噴出しました。“ボイドを作った高エネルギーのジェット”である電気の光子と磁気の光子が“ブラックホールの素子”である、公転軌道が１０−１６ｍである電子のラブと陽子のラブに付加しました。それで、“ブラックホールの素子”である電子のラブと陽子のラブは活性化しました。
３５．“ボイドを作った高エネルギーのジェット”はどこまで届いたか。
“超ブラックホール体”の電子のラブと陽子のラブの公転軌道は４×１０−１７ｍですから、Ａの値は、Ａ＝１．０５８×１０−１０ｍ÷（４×１０−１７ｍ）＝２．６４５×１０６です。
“超ブラックホール体”の質量が太陽の１０１０倍であるとしますと、“ボイドを作った高エネルギーのジェット”は、
太陽の半径×８４９×“超ブラックホール体”のＡ÷太陽の中心のＡ×太陽の質量の何倍か＝６．９６×１０５Ｋｍ×８４９×２．６４５×１０６÷（３．８７２×１０３）×１０１０＝４．０３７×１０２１Ｋｍまで届きました。
“ボイドを作った高エネルギーのジェット”は、半径４．０３７×１０２１Ｋｍまで届いた。
３６．ボイドができた時、１ｍ３にどれだけの電子のラブと陽子のラブは存在したか。図６
ボイドは、ボイドの空間の電子のラブと陽子のラブが“超ブラックホール体”に集合したので、空になった空間です。
半径４．０３７×１０２１Ｋｍの球体には、太陽の質量の１０１０倍の電子のラブと陽子のラブが存在した。
１Ｋｇには、電子のラブと陽子のラブが６×１０２６個存在します。
太陽の質量の１０１０倍の電子のラブと陽子のラブの数＝６×１０２６個×太陽の質量×太陽の質量の倍数＝６×１０２６個×１．９８９×１０３０Ｋｇ×１０１０＝１．１９３４×１０６７個
球体の体積は、
４π÷３×（４．０３７×１０２１ｍ）３＝２．７５５×１０６５ｍ３です。
２．７５５×１０６５ｍ３の空間に、１．１９３４×１０６７個の電子のラブと陽子のラブが存在した。
よって、ボイドができた時、１ｍ３に、
１．１９３４×１０６７個÷（２．７５５×１０６５ｍ３）＝４３．３
４３．３個の電子のラブと陽子のラブが存在した。
３７．ダークマターは１ｍ３にどれだけ存在するか。
ボイドができた時は、“ブラックホールの素子”の時代であり、１０−１６ｍの時代です。
現在は、１０−１４ｍの時代です。これは、エネルギーが小さくなった事を示す。
電子のラブの公転軌道は１００倍に成ったけれど、４３．３個の電子のラブと陽子のラブは１ｍ３に存在するので、これによって空間は拡大する必要は無い。
それで、空間は拡大しないと考えると、４３．３個の電子のラブと陽子のラブは１ｍ３に存在する。
ダークマターは１ｍ３に４３．３個存在する。
宇宙の１ｍ３の質量は、４３．３個の電子のラブと陽子のラブの質量です。
４３．３個の電子のラブと陽子のラブの質量＝（９．１０９５×１０−３１Ｋｇ＋１．６７２６５×１０−２７Ｋｇ）×４３．３＝７．２４６５１８６×１０−２６Ｋｇです。
ダークマターは１ｍ３に７．２４６５１８６×１０−２６Ｋｇ存在する。
３８．“ボイドを作った高エネルギーのジェット”は何を作ったか。クエーサーの生成と楕円銀河の生成。図７
“ボイドを作った高エネルギーのジェット”は、“ブラックホールの素子”の場に当たった。
そこには、１０−１６ｍで公転する電子のラブと陽子のラブがいた。
“ボイドを作った高エネルギーのジェット”である、４×１０−１７ｍの軌道の電気の光子は、“ブラックホールの素子”に当たり、付加し、“ブラックホールの素子”を活性化し、磁気の光子により“ブラックホールの素子”を集めた。
“ブラックホールの素子”の集団ができた。
集団の“ブラックホールの素子”の数が多い者はクエーサーに成った。
集団の“ブラックホールの素子”の数が少ない者は原始星に成った。原始星は星になり、星が集まって、楕円銀河に成った。
３９．棒渦巻銀河の生成。
棒渦巻銀河は、通常の渦巻銀河とちがい、腕が中央からは無く、中心をつらぬく棒構造の両端から出ているのが特徴です。
棒渦巻銀河の生成は、
▲１▼１０−１６ｍの場で、銀河の中心に、“ブラックホールの素子”が集まり、集団ができる。しかし、この集団の中心の電子のラブの軌道が大きすぎるので、ジェットを噴出できない。それで、周囲の電子のラブと陽子のラブを集めた。
▲２▼ジェットが噴出した。ジェットが届いた所にいた電子のラブと陽子のラブを活性化し、“ブラックホールの素子”の集団である原始星を生成する。
この時、銀河の周囲の電子のラブと陽子のラブは、銀河の中心に集められて存在しないので、棒の部分に原始星はできない。
４０．渦巻銀河の生成。
▲１▼１０−１６ｍの場で、銀河の中心に、たくさんの“ブラックホールの素子”が集まり、集団ができる。この集団の中心は電子のラブの公転軌道が小さくジェットを噴出できた。
▲２▼ジェット噴射である電気の光子は、当たった部分の電子の光子と磁気の光子を活性化し、“ブラックホールの素子”の集団である原始星を生成する。
それで、棒の部分にも“ブラックホールの素子”の集団（原始星の中心）を作る。
４１．銀河の形成
１０−１６ｍの場で、“ボイドを作った高エネルギーのジェット”がたくさん当たった場所に居た、たくさんの“ブラックホールの素子”は活性化され、集まり、“ブラックホールの素子”の集団を作る。集団の“ブラックホールの素子”の数によって、原始星になるか、棒渦巻銀河に成るか、渦巻銀河に成るかが決定される。
原始星になる、集団の“ブラックホールの素子”の数は、太陽の質量の４０倍から０．２倍です。
棒渦巻銀河に成る集団の“ブラックホールの素子”の数は、渦巻銀河に成る集団の“ブラックホールの素子”の数より小さい。
棒渦巻銀河に成る集団の“ブラックホールの素子”の数＜渦巻銀河に成る集団の“ブラックホールの素子”の数
よって、星になり、それが集まって、楕円銀河に成るか、棒渦巻銀河に成るか、渦巻銀河に成るかの違いは、“ボイドを作った高エネルギーのジェット”が当たった光子の量であり、光子を受けた“ブラックホールの素子”の数によります。
４２．星ができた時、どれだけの体積の“ブラックホールの素子”が活性化されたか。
ボイドができた時、１ｍ３に、４３．３個の電子のラブと陽子のラブは存在した。
それで、１０−１６ｍの場にも、１ｍ３に、４３．３個の電子のラブと陽子のラブが存在したと考える。
太陽の質量の１９０．５倍の星の中心のブラックホールの質量は、太陽の４０．３６倍です。
この電子のラブと陽子のラブの数は、
１Ｋｇの電子のラブと陽子のラブの数×太陽の質量×４０．３６＝６×１０２６個×１．９８９×１０３０Ｋｇ×４０．３６＝４．８１７×１０５８個です。
何ｍ３の“ブラックホールの素子”が活性化されて、太陽の質量の１９０．５倍の星はできたか。
１ｍ３には、４３．３個の電子のラブと陽子のラブが存在しますから、
４．８１７×１０５８個÷４３．３個／ｍ３＝１．１１２×１０５７ｍ３
１．１１２×１０５７ｍ３の“ブラックホールの素子”が活性化された。
この半径はいくらか。
４π÷３×ｒ３＝１．１１２×１０５７ｍ３
ｒ＝６．４４４×１０１８ｍ
太陽の質量の１９０．５倍の星は、半径６．４４４×１０１８ｍの“ブラックホールの素子”が活性化されてできた。
太陽の質量の１００倍の星は、どれだけの体積の“ブラックホールの素子”が活性化されてできたか。
太陽の質量の１００倍の星のブラックホールの質量は、太陽の質量の、１００÷１９０．５×４０．３６＝２１．１８６倍です。
この電子のラブと陽子のラブの数は、
６×１０２６個×１．９８９×１０３０Ｋｇ×２１．１８６＝２．５２８×１０５８個です。
何ｍ３の“ブラックホールの素子”が活性化されて、太陽の質量の１００倍の星はできたか。
１ｍ３には、４３．３個の電子のラブと陽子のラブが存在しますから、
２．５２８×１０５８個÷４３．３個／ｍ３＝５．８３８×１０５６ｍ３
５．８３８×１０５６ｍ３の“ブラックホールの素子”が活性化された。
この半径はいくらか。
４π÷３×ｒ３＝５．８３８×１０５６ｍ３
ｒ＝５．１８５×１０１８ｍ
太陽の質量の１００倍の星は、半径５．１８５×１０１８ｍの“ブラックホールの素子”が活性化されてできた。
４３．渦巻銀河ができた時、どれだけの体積の“ブラックホールの素子”が活性化されたか。
ボイドができた時、１ｍ３に、４３．３個の電子のラブと陽子のラブは存在した。
それで、１０−１６ｍの場にも、１ｍ３に、４３．３個の電子のラブと陽子のラブは存在したと考える。
１０−１６ｍの場で、渦巻銀河の中心のブラックホールは、太陽の質量１０５倍であったとする。
この電子のラブと陽子のラブの数は、
６×１０２６個×１．９８９×１０３０Ｋｇ×１０５＝１．１９３×１０６２個です。
何ｍ３の“ブラックホールの素子”が活性化されて、太陽の質量の１０５倍の渦巻銀河はできたか。
１ｍ３には、４３．３個の電子のラブと陽子のラブが存在しますから、
１．１９３×１０６２個÷４３．３個／ｍ３＝２．７５５×１０６０ｍ３
２．７５５×１０６０ｍ３の“ブラックホールの素子”が活性化された。
この半径はいくらか。
４π÷３×ｒ３＝２．７５５×１０６０ｍ３
ｒ＝８．６４×１０１９ｍ
太陽の質量の１０５倍の渦巻銀河は、半径８．６４×１０１９ｍに存在した“ブラックホールの素子”が活性化されてできた。
【発明の効果】
【０００６】次の事が理解できた。
１．自転する電子のラブと陽子のラブに光子を付加させ、エネルギーを上げる事によって、電子のラブと陽子のラブは公転する。
活性化するための公転数＝１．４５５×１０１９／ｍ×電気の光子の公転軌道
１．ダークマターを活性化させる（公転させる）メカニズムについて。
６．９０６×１０−１７ｍの軌道で自転する電子のラブと自転する陽子のラブ（ダークマター）に、電気の光子を付加する事により、電子のラブのエネルギーと、陽子のラブのエネルギーが−２６０１／２℃になる。
１．電子のラブは自分のエネルギーが４．９５５×１０−１５Ｊで、−２７３℃に成ったとき、エネルギーが小さいので、自転よりできなくなる。
陽子のラブは自分のエネルギーが９．０７８×１０−１２Ｊで、−２７３℃に成ったとき、エネルギーが小さいので、自転よりできなくなる。
電子のラブの最低のエネルギーは、４．９５５×１０−１５Ｊです。陽子のラブの最低のエネルギーは、９．０７８×１０−１２Ｊです。
電子のラブと陽子のラブが自転せず、質量だけに成った状態は、
電子のラブのエネルギーは、４．９５５×１０−１５Ｊです。その質量は９．１０９５×１０−３１Ｋｇです。
陽子のラブのエネルギーは、９．０７８×１０−１２Ｊです。その質量は１．６７２６５×１０−２７Ｋｇです。
これを、ダークマターとみなす事もできます。
１．ブラックホールの電子のラブと陽子のラブは自転し公転している。
１０−１６ｍの場に存在する自転し公転する電子のラブと陽子のラブを“ブラックホールの素子”と名づける。
１．電子のラブは自分の温度が−２６０℃で、エネルギーが５．０７７×１０−１５Ｊのとき公転ができるようになる。
陽子のラブは自分の温度が−２６０℃で、エネルギーが９．３０３×１０−１２Ｊのとき公転ができるようになる。
１．電子のラブのエネルギー＝ダークマターである自転する電子のラブのエネルギー＋付加する光子のエネルギー  です。
１．電子のラブと陽子のラブは自分のエネルギーと軌道を温度１／２として表現できる。
電子のラブのエネルギー＝地上の電子のラブのエネルギー×温度１／２
電子のラブの軌道＝地上の電子のラブの軌道÷温度１／２
陽子のラブのエネルギー＝地上の陽子のラブのエネルギー×温度１／２
陽子のラブの軌道＝地上の陽子のラブの軌道÷温度１／２
１．星の形成について理解できた。
原始星の中心にブラックホールか中性子星が存在する。
１．太陽の先祖がたどった足跡を理解できた。
１．第２世代の星の質量が、太陽の３０倍の星の先祖がたどった足跡を理解できた。
１．星の先祖において、ダークマターを活性化する電気の光子の軌道と回転数を理解できた。
１．小惑星は次の場合にできる。
▲１▼原始星の生成のとき、ブラックホールや中性子星が出すジェット噴射によってできる。
▲２▼原始星の中心から出るジェット噴射によってできる。
▲３▼原始星の中心の周囲の核融合反応によってできるジェット噴射によってできる。核融合反応はいつも同じ軌道でできるので、このジェット噴射はいつも同じ距離に届く。
小惑星ができる距離は、ジェットが届いた距離です。
ジェットが届いた距離＝太陽の半径×８４９×ジェットを出す場のＡ÷太陽の中央のＡ＝６．９６×１０５Ｋｍ×８４９×ジェットを出す場のＡ÷（３．８７２×１０３）
１．太陽の先祖が作った小惑星は、太陽からどれだけ離れた所に存在するか理解できた。
・小惑星が存在する距離は、ジェット（電気の光子と磁気の光子）のエネルギーに比例する。
・小惑星のエネルギーと大きさは、ジェット（電気の光子と磁気の光子）のエネルギーに比例する。ジェット（電気の光子と磁気の光子）のエネルギーは、ジェットが出た場のエネルギーに比例する。
１．約３．０９６×１０１０Ｋｍ離れた場に存在するエッジワース・カイパーベルトの小惑星は、第２世代の原始星の中心から出るジェットによりできた。
又、第３世代の原始星が生成する時のジェットによりできた。
約４．８７３×１０９Ｋｍ離れた場に存在するエッジワース・カイパーベルトの小惑星は、
第３世代の原始星の中心から出るジェットによりできた。
冥王星は、太陽から５．９１５２×１０９Ｋｍ離れた場所に存在するので、第３世代（太陽）の原始星の中心から出るジェットによりできた。
この他に、小惑星は、太陽から１０１２Ｋｍと１０１１Ｋｍ離れた場所に存在する。
・小惑星の距離の比＝エネルギーの比＝大きさの比
・ただし、遠くの小惑星ほど長時間存在し続けているので、エネルギーは減少している。
１．第２世代の星の質量が、太陽の３０倍である星の先祖が作った小惑星はどのようになっているか理解できた。
１．原始星ができる時、原始星のブラックホールは、太陽の質量の何倍のブラックホールでできるか理解できた。
原始星のブラックホールが太陽の質量のＢ倍である場合、
原始星の生成のＡ＝ブラックホールのＡ×太陽の質量のＢ倍
太陽の質量のＢ倍＝原始星の生成のＡ÷ブラックホールのＡ
１．星の質量でできる磁気圏はどこまで届くか理解できた。
星の質量でできる磁気圏は、星のＡ×５．４１５×１０６Ｋｍまで届きます。
・太陽でできる磁気圏は、２．０９７×１０１０Ｋｍまで届きます。
・太陽１個分のブラックホールでできる磁気圏は、３．９９５×１０１２Ｋｍまで届きます。
・太陽の質量の１０９倍のクエーサーが作る磁気圏は、３．９９５×１０２１Ｋｍまで届きます。
１．星の質量と星の中心のＡと星の中心の電子のラブの軌道の関係式について理解できた。
星の質量＝２．５８１×１０−４×星のＡ
星の質量＝２．７３２×１０−１４÷星の中心の電子のラブの軌道
星のＡ＝１．０５８×１０−１０÷星の中心の電子のラブの軌道
星の中心の電子のラブの軌道＝１．０５８×１０−１０÷星のＡ
１．熱平衡状態の場で、公転軌道が４×１０−１７ｍの電子のラブと陽子のラブは集まりました。
それで、“超ブラックホール体”ができました。この電子のラブと陽子のラブは、４×１０−１７ｍの公転軌道の電気の光子と磁気の光子を作った。これが“ボイドを作った高エネルギーのジェット”です。“ボイドを作った高エネルギーのジェット”は“ブラックホールの素子”を活性化しました。“ブラックホールの素子”の集団ができました。この集合の“ブラックホールの素子”の数により、原始星ができそれが集まり、楕円銀河に成るか、棒渦巻銀河に成るか、渦巻銀河になるかが決定される。
１．ボイドができた時、１ｍ３に４３．３個の電子のラブと陽子のラブが存在した。
１．ダークマターは１ｍ３に４３．３個存在する。
宇宙の１ｍ３の質量は、４３．３個の電子のラブと陽子のラブの質量です。
ダークマターは１ｍ３に（９．１０９５×１０−３１Ｋｇ＋１．６７２６５×１０−２７Ｋｇ）×４３．３＝７．２４６５１８６×１０−２６Ｋｇ存在する。
１．星ができた時、どれだけの体積の“ブラックホールの素子”が活性化されたか計算できた。
１．渦巻銀河ができた時、どれだけの体積の“ブラックホールの素子”が活性化されたか計算できた。
【図面の簡単な説明】
【０００６】
【図１】１．ダークマターを活性化させる（公転させる）メカニズムについて。６．９０６×１０−１７ｍの軌道で自転する電子のラブと自転する陽子のラブ（ダークマター）に、電気の光子を付加する事により、電子のラブのエネルギーと、陽子のラブのエネルギーが−２６０１／２℃になる。たとえば、−２７３℃で、エネルギーが４．９５５×１０−１５Ｊで、自転軌道が６．９０６×１０−１７ｍである電子のラブに、ブラックホールでできる電気の光子と磁気の光子を付加する。電気の光子と磁気の光子の公転軌道は、１．４３４×１０−１６ｍで、これを２．０８７×１０３公転付加する。これによって、電子のラブは、−２６０℃で、エネルギーが５．０７７×１０−１５Ｊで、自転軌道が６．７４０×１０−１７ｍである電子のラブになり、公転できるようになる。
【図２】星の形成について。星の形成は４段階に分かれる。▲１▼第１段階は、原始星の生成です。原始星の中心にブラックホールや中性子星が存在する。ブラックホールや中性子星でできた電気の光子と磁気の光子がジェット噴射し、且つ放射する。この電気の光子と磁気の光子が、ダークマターである自転する電子のラブや陽子のラブに付加することにより、ダークマターを活性化し、公転させ、水素とする。これがブラックホールや中性子星の周囲に集まり、原始星を作る。ジェットが届く軌道に小惑星ができる。ジェット噴射により、エネルギーは６．３５３分の１になり、ジェット噴射は終わる。▲２▼第２段階は、原始星から２種類のジェットが噴射する事です。１種類のジェットは、中心のブラックホールや中性子星から放出するジェットです。１種類のジェットが届く軌道に小惑星ができる。２種類のジェットは、その周囲から放出するジェットで、核融合反応がおきた時のジェットです。２種類のジェットが届く軌道に小惑星ができる。中心のブラックホールや中性子星でできた磁気の光子と電気の光子が、ジェット噴射し、且つ又放射する。これによって、ダークマターが活性化し、公転し、水素となり、原始星に集まる。核融合反応でできた磁気の光子と電気の光子が、ジェット噴射し、且つ又放射する。これによって、ダークマターが活性化し、公転し、水素となり、原始星に集まる。１種類のジェットは、中心のブラックホールや中性子星のエネルギーが６．３５３分の１になったら終わる。▲３▼第３段階は、星の生成です。核融合反応のジェットが終わる。核融合反応で生成するニュートリノや電気の光子や磁気の光子が放出する。ニュートリノは生成後すぐ星から放出する。電気の光子や磁気の光子は順次星から放出する。▲４▼第４段階は、星の超新星爆発です。星は超新星爆発し、中心に残った物は、更に６．３５３分の１に収縮する。これが、次世代の原始星を作るブラックホールや中性子星になる。
【図３】太陽の形成。第２世代の星の質量が８．２４６倍の場合。原始星の生成の軌道は、５．２１４×１０−１６ｍです。これは全体の質量の０．２７５倍です。原始星の中心の軌道は、３．３１２×１０−１５ｍに成りました。太陽の中心の軌道は、３．８７２×１０−１４ｍで、核融合反応を行っています。
【図４】太陽の先祖が作った小惑星は、太陽からどれだけ離れた所に存在するか。・第１世代の場合。▲１▼原始星が生成する時のジェットによりできる。ジェットが届いた距離＝１．２５０×１０１２Ｋｍ  ▲２▼原始星の中心から出るジェットによりできる。ジェットが届いた距離＝１．９６７×１０１１Ｋｍ  ▲３▼核融合反応のジェットによりできる。これはいつも同じ距離の場にできる。ジェットが届いた距離＝５．９０９×１０８Ｋｍ  ・第２世代の場合。▲１▼原始星が生成する時のジェットによりできる。ジェットが届いた距離＝＝１．９６７×１０１１Ｋｍ  ▲２▼原始星の中心から出るジェットによりできる。ジェットが届いた距離＝３．０９６×１０１０Ｋｍ  ・第３世代の場合。▲１▼原始星が生成する時のジェットによりできる。ジェットが届いた距離＝３．０９６×１０１０Ｋｍ  ▲２▼原始星の中心から出るジェットによりできる。ジェットが届いた距離＝４．８７３×１０９Ｋｍ  ・だだし、これは、太陽の先祖が居た同じ所に、太陽が居ると仮定した場合です。
【図５】“ボイドを作った高エネルギーのジェット”はどうして“ブラックホールの素子”を活性化したのか。“超ブラックホール体”の中にある、電子のラブと陽子のラブの公転軌道は４×１０−１７ｍです。それで、４×１０−１７ｍの公転軌道の電気の光子と磁気の光子ができました。この光子が“ボイドを作った高エネルギーのジェット”となり、噴出しました。“ボイドを作った高エネルギーのジェット”である電気の光子と磁気の光子が“ブラックホールの素子”である、公転軌道が１０−１６ｍである電子のラブと陽子のラブに付加しました。それで、“ブラックホールの素子”である電子のラブと陽子のラブは活性化しました。
【図６】ボイドができた時、１ｍ３にどれだけの電子のラブと陽子のラブは存在したか。半径４．０３７×１０２１Ｋｍの球体には、太陽の質量の１０１０倍の電子のラブと陽子のラブが存在した。この中の電子のラブと陽子のラブの数は、１．１９３４×１０６７個です。球体の体積は、２．７５５×１０６５ｍ３です。２．７５５×１０６５ｍ３の空間に、１．１９３４×１０６７個の電子のラブと陽子のラブが存在した。よって、ボイドができた時、１ｍ３に、４３．３個の電子のラブと陽子のラブが存在した。この質量は、７．２４６５１８６×１０−２６Ｋｇです。
【図７】“ボイドを作った高エネルギーのジェット”は何を作ったか。クエーサーの生成と楕円銀河の生成。“ボイドを作った高エネルギーのジェット”は、“ブラックホールの素子”の場に当たった。そこには、１０−１６ｍで公転する電子のラブと陽子のラブがいた。“ボイドを作った高エネルギーのジェット”である、４×１０−１７ｍの公転軌道の電気の光子は“ブラックホールの素子”に当たり、付加し、“ブラックホールの素子”を活性化し、磁気の光子により“ブラックホールの素子”を集めた。“ブラックホールの素子”の集団ができた。集団の“ブラックホールの素子”の数が多い者はクエーサーに成った。集団の“ブラックホールの素子”の数が少ない者は原始星に成った。原始星は星になり、星が集まって、楕円銀河に成った。
【符号の説明】
【０００７】１  自転する電子のラブ
２  付加した電気の光子と磁気の光子
３  公転する電子のラブ
４  ブラックホールや中性子星
５  ブラックホールや中性子星でできた電気の光子と磁気の光子のジェット
６  ブラックホールや中性子星でできた磁気の光子と電気の光子の放射
７  ダークマターである自転する電子のラブや陽子のラブ
８  活性化した電子のラブや陽子のラブ
９  原始星
１０  小惑星
１１  核反応が起きた時のジェット
１２  核反応が起きている場所
１３  中心に残ったもの
１４  ６．３５３分の１に収縮した中心に残ったもの＝次世代の星の基
１５  太陽の原始星の生成の軌道が５．２１４×１０−１６ｍの場が、太陽の原始星の中心の軌道３．３１２×１０−１５ｍの場に成りました。
１６  太陽の核融合の軌道の場
１７  太陽の水素の場
１８  第１世代の原始星の生成する時のジェットが届いた距離＝１．２５０×１０１２Ｋｍの小惑星
１９  第１世代の原始星の中心から出るジェットが届いた距離＝１．９６７×１０１１Ｋｍの小惑星
２０  核融合反応のジェットが届いた距離＝５．９０９×１０８Ｋｍの小惑星
２１  第２世代の原始星が生成する時のジェットが届いた距離＝１．９６７×１０１１Ｋｍの小惑星
２２  第２世代の原始星の中心から出るジェットが届いた距離＝３．０９６×１０１０Ｋｍの小惑星
２３  第３世代の原始星が生成する時のジェットが届いた距離＝３．０９６×１０１０Ｋｍの小惑星
２４  第３世代の原始星の中心から出るジェットが届いた距離＝４．８７３×１０９Ｋｍの小惑星
２５  “超ブラックホール体”
２６  ４×１０−１７ｍの軌道の電子のラブと陽子のラブ
２７  “ボイドを作った高エネルギーのジェット”
２８  ４×１０−１７ｍの軌道の電気の光子と磁気の光子
２９  “ブラックホールの素子”である、公転軌道が１０−１６ｍである電子のラブと陽子のラブ
３０  活性化した“ブラックホールの素子”
３１  半径４．０３７×１０２１Ｋｍの球体＝ボイド
３２  １．１９３４×１０６７個の電子のラブと陽子のラブの数
３３  １ｍ３に、４３．３個の電子のラブと陽子のラブが存在した。
３４  “ブラックホールの素子”の集団
３５  原始星になった“ブラックホールの素子”の数が少ない集団
３６  楕円銀河
３７  クエーサーに成った“ブラックホールの素子”の数が多い集団
【図１】
2008086188.tif 000018
【図２】
2008086188.tif 000019
【図３】
2008086188.tif 000020
【図４】
2008086188.tif 000021
【図５】
2008086188.tif 000022
【図６】
2008086188.tif 000023
【図７】
2008086188.tif 000024